【事件の表示】
　上記当事者間の特許第５３７２０８０号発明「情報処理装置，情報処理方法，該方法を実行する制御プログラムを記憶した媒体」の特許無効審判事件について，次のとおり審決する。
【結　論】
　特許第５３７２０８０号の特許請求の範囲を訂正請求書に添付された訂正特許請求の範囲のとおり，訂正後の〔１−３〕，４，５，６，７及び８について訂正することを認める。
　特許第５３７２０８０号の請求項１，２，３，４，５及び７に係る発明についての特許を無効とする。
　特許第５３７２０８０号の請求項６及び８に係る発明についての審判請求は，成り立たない。
　審判費用は，その４分の１を請求人の負担とし，４分の３を被請求人の負担とする。
【理　由】
第１　手続の経緯
　特許第５３７２０８０号（以下，「本件特許」という。）の手続の経緯は，概略，以下のとおりである。
平成２３年　７月２３日　　　本件特許の出願
　　　　　　　　　　　　　　（遡及出願日　平成１１年２月１８日）
平成２５年　９月２７日　　　本件特許の設定の登録
　　　　　　　　　　　　　　（特許第５３７２０８０号）
平成３０年　１月１２日　　　本件特許についての無効審判請求（請求人）
　　　同年　４月　２日付け　答弁書の提出及び訂正請求（被請求人）
　　　同年　６月１９日付け　弁駁書の提出（請求人）
　　　同年　８月２３日付け　審理事項通知
　　　同年　８月２３日付け　補正許否の決定
　　　同年１０月　５日付け　口頭審理陳述要領書の提出（請求人）
　　　同年１０月　５日付け　口頭審理陳述要領書の提出（被請求人）
　　　同年１０月１６日付け　口頭審理陳述要領書（２）の提出（請求人）
　　　同年１０月１９日　　　口頭審理
　　　同年１１月　９日付け　上申書の提出（被請求人）
　　　同年１１月２６日付け　上申書の提出（請求人）
平成３１年　１月３０日付け　審決の予告
　　　同年　２月１８日　　　本件特許に係る特許権の存続期間終了
　　　同年　２月２８日付け　上申書（２）の提出（請求人）
　　　同年　３月１８日　　　審尋
　　　同年　４月　４日付け　回答書の提出及び訂正請求（被請求人）
令和　元年　５月１５日　　　審尋
　　　同年　６月１７日付け　回答書及び弁駁書（２）の提出（請求人）
　　　同年　９月　６日付け　上申書（３）の提出（請求人）
第２　本件訂正請求について
　１　本件訂正請求の趣旨
　平成３１年４月４日付け訂正請求（以下，「本件訂正請求」といい，本件訂正請求に係る訂正を「本件訂正」という。）の趣旨は，本件特許の特許請求の範囲を訂正請求書に添付された訂正特許請求の範囲のとおり，訂正後の請求項１〜３，４，５，６，７及び８について訂正することを求める，というものである。
　なお，平成３０年４月２日付け訂正請求は，本件訂正請求がされたことによって，取り下げられたものとみなされる（特許法第１３４条の２第６項）。
　２　本件訂正の内容
（１）　本件訂正前の特許請求の範囲
　本件訂正前の特許請求の範囲の記載は，以下のとおりである。
「【請求項１】
　印刷に関わる複数の設定内容を一括して変更するための複合設定をメモリから読み出す読み出し手段と，
　印刷装置に装着されるオプションの情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，を有することを特徴とする情報処理装置。
【請求項２】
　前記複合設定とは，プリンタドライバを操作するための印刷設定画面に表示される複数の設定シートで設定された前記設定内容を組み合わせた設定であることを特徴とする請求項１に記載の情報処理装置。
【請求項３】
　読みだされた複合設定に対応する設定内容で印刷を実行することが不可能であることが確認された場合は，読みだされた複合設定に対応する設定内容では印刷を実行することが不可能である旨，および読みだされた複合設定に対応する設定内容を別の設定内容に変更する旨が記述されたメッセージを表示することを特徴とする請求項１または２に記載の情報処理装置。
【請求項４】
　前記印刷設定画面は，プリンタドライバが提供するユーザインターフェイスであることを特徴とする請求項１乃至３の何れか１項に記載の情報処理装置。
【請求項５】
　読み出し手段は，印刷に関わる複数の設定内容を一括して変更するための複合設定をメモリから読み出し，
　確認手段は，印刷装置に装着されるオプションの情報を基に，読みだされた複合設定に対応する設定内容で印刷を実行することが可能であるか否かを確認し，
　表示制御手段は，読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させることを特徴とする情報処理方法。
【請求項６】
　印刷に関わる複数の設定内容を一括して変更するための複合設定をメモリから読み出す読み出しステップと，
　印刷装置に装着されるオプションの情報を基に，読みだされた複合設定に対応する設定内容で印刷を実行することが可能であるか否かを確認する確認ステップと，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御ステップと，をコンピュータに実行させるためのプログラムを記憶した記憶媒体。
【請求項７】
　前記プログラムは，プリンタドライバであることを特徴とする請求項６に記載の記憶媒体。
【請求項８】
　印刷に関わる複数の設定内容を一括して変更するための複合設定を選択する選択ステップと，
　選択された複合設定に対応する設定内容で印刷装置に印刷を実行させることが可能である場合は，選択された複合設定に対応する設定内容を印刷設定画面に表示させ，
　選択された複合設定に対応する設定内容で印刷装置に印刷を実行させることが不可能である場合は，オプションを装着せずとも印刷可能な印刷装置に装着される前記オプションを利用しない設定内容を印刷設定画面に表示させる表示制御ステップと，をコンピュータに実行させるためのプログラムを記憶した記憶媒体。」
（２）　本件訂正後の特許請求の範囲
　本件訂正後の特許請求の範囲の記載は，以下のとおりである（下線は，訂正箇所であり，当審で付加した。）。
「【請求項１】
　
印刷装置とネットワーク経由で接続される情報処理装置であって，
　印刷に関わる複数の設定内容を一括して変更するための複合設定をメモリから読み出す読み出し手段と，
　印刷装置に装着されるオプションの情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，を有
し，
　
前記表示制御手段は，現在の設定内容が表示されている印刷設定画面に，複合設定の複数の選択候補を表示可能であり，
　
ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行う
【請求項２】
　
印刷装置とネットワーク経由で接続される情報処理装置であって，
　印刷に関わる複数の設定内容を一括して変更するための複合設定をメモリから読み出す読み出し手段と，
　印刷装置に装着されるオプションの情報
である登録オプション情報
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，
　
ユーザによる取得指示に応じて，印刷装置とのネットワークを介した通信によって当該印刷装置に実際に装着されているオプションの情報を取得して前記登録オプション情報を更新する第１の更新手段と，
　
ユーザによるマニュアル設定を受け付けて前記登録オプション情報を更新する第２の更新手段と，を有し，
　
前記表示制御手段は，現在の設定内容が表示されている印刷設定画面に，複合設定の複数の選択候補を表示可能であり，
　
ユーザにより前記複数の選択候補に基づく複合設定の選択変更が行われる度に，選択された複合設定に関する前記読み出し手段による読み出しと，読み出された複合設定に関する前記確認手段による前記登録オプション情報に基づく確認と，確認の結果に対応した前記表示制御手段による表示とを行い，
　前記複合設定とは，プリンタドライバを操作するための印刷設定画面に表示される複数の設定シートで設定された前記設定内容を組み合わせた設定であることを特徴とする情報処理装置。
【請求項３】
　読みだされた複合設定に対応する設定内容で印刷を実行することが不可能であることが確認された場合は，読みだされた複合設定に対応する設定内容では印刷を実行することが不可能である旨，および読みだされた複合設定に対応する設定内容を別の設定内容に変更する旨が記述されたメッセージを表示することを特徴とする請求項１または２に記載の情報処理装置。
【請求項４】
　
印刷装置とネットワーク経由で接続される情報処理装置であって，
　印刷に関わる複数の設定内容を一括して変更するための複合設定をメモリから読み出す読み出し手段と，
　印刷装置に装着されるオプションの情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，を有
し，
　
前記表示制御手段は，現在の設定内容が表示されている印刷設定画面に，複合設定の複数の選択候補を表示可能であり，
　
ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行い，
　前記印刷設定画面は，プリンタドライバが提供するユーザインターフェイスであることを特徴とする情報処理装置。
【請求項５】
　
印刷装置とネットワーク経由で接続される情報処理装置が実行する情報処理方法であって，
　
前記情報処理装置の
　
前記情報処理装置の
　
前記情報処理装置の
　読みだされた複合設定に対応する設定内容で印刷を実行することが不可能であることが確認された場合は，前記オプションを利用しない設定内容を印刷設定画面に表示させ
，
　
前記表示制御手段は，現在の設定内容が表示されている印刷設定画面に，複合設定の複数の選択候補を表示し，
　
ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行い，
　
読みだされた複合設定に対応する設定内容で印刷を実行することが不可能であることが確認された場合は，前記表示制御手段は，実行できないことを示すメッセージを表示す
【請求項６】
　印刷に関わる複数の設定内容を一括して変更するための複合設定をメモリから読み出す読み出しステップと，
　印刷装置に装着されるオプションの情報を基に，読みだされた複合設定に対応する設定内容で印刷を実行することが可能であるか否かを確認する確認ステップと，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御ステップと，
　
ユーザによる指示に応じて，複合設定をメモリに追加する登録ステップと，
　
ユーザによる指示に応じて，複合設定をメモリから削除する削除ステップと，
印刷装置とネットワーク経由で接続される
であって，
　
前記登録ステップにより追加された複合設定は前記削除ステップによる削除が可能であり，前記プログラムに元から用意されている複合設定は前記削除ステップによる削除が不可能であり，
　
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ，
　
読みだされた複合設定に対応する設定内容で印刷を実行することが不可能であることが確認された場合は，前記表示制御ステップは，実行できないことを示すメッセージを表示し，
　
前記複合設定とは，プリンタドライバが提供するユーザインターフェイスである印刷設定画面に表示される複数の設定シートで設定された前記設定内容を組み合わせた設定であり，
　
前記複合設定の選択変更は，印刷設定画面に表示される複数の設定シートのいずれからも行うことができる，ことを特徴とする記憶媒体。
【請求項７】
　
印刷に関わる複数の設定内容を一括して変更するための複合設定をメモリから読み出す読み出しステップと，
　
印刷装置に装着されるオプションの情報を基に，読みだされた複合設定に対応する設定内容で印刷を実行することが可能であるか否かを確認する確認ステップと，
　
読みだされた複合設定に対応する設定内容で印刷を実行することが可能であることが確認された場合は，読みだされた複合設定に対応する設定内容を印刷設定画面に表示させ，
　
読みだされた複合設定に対応する設定内容で印刷を実行することが不可能であることが確認された場合は，前記オプションを利用しない設定内容を印刷設定画面に表示させる表示制御ステップと，
　
ユーザによる指示に応じて，複合設定をメモリに追加する登録ステップと，
　
ユーザによる指示に応じて，複合設定をメモリから削除する削除ステップと，を，印刷装置とネットワーク経由で接続されるコンピュータに実行させるためのプログラムを記憶した記憶媒体であって，
　
前記登録ステップにより追加された複合設定は前記削除ステップによる削除が可能であり，前記プログラムに元から用意されている複合設定は前記削除ステップによる削除が不可能であり，
　
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ，
　前記プログラムは，プリンタドライバであることを特徴とする記憶媒体。
【請求項８】
　印刷に関わる複数の設定内容を一括して変更するための
，メモリに格納された
　選択された複合設定に対応する設定内容で印刷装置に印刷を実行させることが可能である場合は，選択された複合設定に対応する設定内容を印刷設定画面に表示させ，
　選択された複合設定に対応する設定内容で印刷装置に印刷を実行させることが不可能である場合は，オプションを装着せずとも印刷可能な印刷装置に装着される前記オプションを利用しない設定内容を印刷設定画面に表示させる表示制御ステップと，を
，印刷装置とネットワーク経由で接続される
であって，
　
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，ユーザにより選択された複合設定に関する前記選択ステップによる選択と，選択された複合設定に対応する設定内容で印刷装置に印刷を実行させることが可能であるか不可能であるかに対応した前記表示制御ステップによる表示とを前記コンピュータに実行させ，
　
前記複合設定とは，プリンタドライバが提供するユーザインターフェーイスである印刷設定画面に表示される複数の設定シートで設定された前記設定内容を組み合わせた設定であり，
　
前記複合設定の選択変更は，印刷設定画面に表示される複数の設定シートのいずれからも行うことができる，記憶媒体
　３　訂正の適否
（１）　請求項１ないし４に係る訂正について
　ア　訂正の目的
（ア）　請求項１に係る訂正
　請求項１に係る訂正は，本件訂正前の請求項１に，「
印刷装置とネットワーク経由で接続される情報処理装置であって，
前記表示制御手段は，現在の設定内容が表示されている印刷設定画面に，複合設定の複数の選択候補を表示可能であり，ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行う
　したがって，請求項１に係る訂正は，特許請求の範囲の減縮を目的とするものである。
（イ）　請求項２に係る訂正
　請求項２に係る訂正は，本件訂正前の請求項１を引用する請求項２を独立形式とし，また，「印刷装置に装着されるオプションの情報を基に，読みだされた複合設定に対応する設定内容で印刷を実行することが可能であるか否かを確認する確認手段」を「印刷装置に装着されるオプションの情報
である登録オプション情報
印刷装置とネットワーク経由で接続される情報処理装置であって，
ユーザによる取得指示に応じて，印刷装置とのネットワークを介した通信によって当該印刷装置に実際に装着されているオプションの情報を取得して前記登録オプション情報を更新する第１の更新手段と，
　
ユーザによるマニュアル設定を受け付けて前記登録オプション情報を更新する第２の更新手段と，を有し，
　
前記表示制御手段は，現在の設定内容が表示されている印刷設定画面に，複合設定の複数の選択候補を表示可能であり，
　
ユーザにより前記複数の選択候補に基づく複合設定の選択変更が行われる度に，選択された複合設定に関する前記読み出し手段による読み出しと，読み出された複合設定に関する前記確認手段による前記登録オプション情報に基づく確認と，確認の結果に対応した前記表示制御手段による表示とを行い，
　したがって，請求項２に係る訂正は，他の請求項の記載を引用する請求項の記載を当該他の請求項の記載を引用しないものとすること，及び，特許の請求の範囲の減縮を目的とするものである。
（ウ）　請求項３に係る訂正
　請求項３は請求項１又は２を引用するものであり，請求項１又は２に係る訂正は上記（ア）及び（イ）のとおり特許の請求の範囲を減縮したものである。
　したがって，請求項３に係る訂正は，特許の請求の範囲の減縮を目的とするものである。
（エ）　請求項４に係る訂正
　請求項４に係る訂正は，本件訂正前の請求項１を引用する請求項４を独立形式とし，また，「
印刷装置とネットワーク経由で接続される情報処理装置であって，
前記表示制御手段は，現在の設定内容が表示されている印刷設定画面に，複合設定の複数の選択候補を表示可能であり，
　ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行い，
　したがって，請求項４に係る訂正は，他の請求項の記載を引用する請求項の記載を当該他の請求項の記載を引用しないものとすること，及び，特許の請求の範囲の減縮を目的とするものである。
　イ　新規事項
（ア）　請求項１に係る訂正
　ａ　請求項１に係る訂正で付加した「
印刷装置とネットワーク経由で接続される情報処理装置であって，
　ｂ　請求項１に係る訂正で付加した「
前記表示制御手段は，現在の設定内容が表示されている印刷設定画面に，複合設定の複数の選択候補を表示可能であり，
　この点について詳細に説明する。
　まず，本件明細書等の【００２６】及び【００２７】の記載によれば，【図３】のダイアログＤＬＧ１の表示は，ＣＰＵ１のプログラムにより制御されるものであり，該ＣＰＵ１は，「表示制御手段」といえるものである。
　次に，該ダイアログＤＬＧ１は，本件明細書等の【００２６】及び【図３】の記載によれば，「印刷設定画面」といえるものであり，それに表示されるコンボボックスＬＳＴ１１は，コンボボックスとは複数の選択候補を表示するものであり，【００２９】の記載によれば，「カレントの「お気に入り」がユーザにより選択変更され」るものであるから，「複合設定の複数の選択候補を表示可能であ」るものといえる。
　また，本件明細書等の【００２９】の「まず，ＤＬＧ１のコンボボックスＬＳＴ１１でカレントの「お気に入り」がユーザにより選択変更された場合（ステップＳ４０１−Ｙｅｓ），選択変更に関する一連の処理を行い（詳細後述）（ステップＳ４０２），今から行おうとしている印刷の設定（以下，カレント設定）に関するコンフリクトチェックの処理を行い（詳細後述）（ステップＳ４０３），各シートのコントロールを新しい設定に応じて変更する（ステップＳ４０４）。」との記載によれば，表示されている【図３】のダイアログＤＬＧ１は，ユーザが操作して今から印刷の設定を行おうとしている状態のものである。すなわち，このダイアログＤＬＧ１には，今の印刷設定の内容が【図３】のように表示されているといえる。したがって，上記「印刷設定画面」は，「現在の設定内容が表示されている印刷設定画面」といえる。
　よって，この訂正事項は，願書に添付した明細書，特許請求の範囲又は図面に記載した事項との関係において，新たな技術事項を導入するものではない。
　ｃ　請求項１に係る訂正で付加した「
ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行う
　したがって，請求項１に係る訂正は，願書に添付した明細書，特許請求の範囲又は図面に記載した事項の範囲内においてしたものである。
（イ）　請求項２に係る訂正
　ａ　請求項２に係る訂正で付加した「印刷装置に装着されるオプションの情報
である登録オプション情報
印刷装置とネットワーク経由で接続される情報処理装置であって，
　ｂ　請求項２に係る訂正で付加した「
ユーザによる取得指示に応じて，印刷装置とのネットワークを介した通信によって当該印刷装置に実際に装着されているオプションの情報を取得して前記登録オプション情報を更新する第１の更新手段と，
　
ユーザによるマニュアル設定を受け付けて前記登録オプション情報を更新する第２の更新手段と，を有し，
　ｃ　請求項２に係る訂正で付加した「
前記表示制御手段は，現在の設定内容が表示されている印刷設定画面に，複合設定の複数の選択候補を表示可能であり，
　
ユーザにより前記複数の選択候補に基づく複合設定の選択変更が行われる度に，選択された複合設定に関する前記読み出し手段による読み出しと，読み出された複合設定に関する前記確認手段による前記登録オプション情報に基づく確認と，確認の結果に対応した前記表示制御手段による表示とを行い，
　したがって，請求項２に係る訂正は，願書に添付した明細書，特許請求の範囲又は図面に記載した事項の範囲内においてしたものである。
（ウ）　請求項３に係る訂正
　請求項３は請求項１又は２を引用するものであり，請求項１又は２に係る訂正は上記（ア）及び（イ）のとおり願書に添付した明細書，特許請求の範囲又は図面に記載した事項の範囲内においてしたものである。
　したがって，請求項３に係る訂正は，願書に添付した明細書，特許請求の範囲又は図面に記載した事項の範囲内においてしたものである。
（エ）　請求項４に係る訂正
　請求項４に係る訂正で付加した事項は，上記請求項１に係る訂正で付加した事項と同じものであるから，請求項４に係る訂正は，願書に添付した明細書，特許請求の範囲又は図面に記載した事項の範囲内においてしたものである。
　ウ　拡張・変更
　請求項１ないし４に係る訂正は，いずれも，実質上特許請求の範囲を拡張し，又は変更するものではない。
　
　エ　一群の請求項，訂正単位
　本件訂正前の請求項２ないし４は，それぞれ，直接的又は間接的に請求項１の記載を引用して記載されたものであるから，請求項１ないし４は一群の請求項である。
　なお，請求項４に係る訂正については，当該請求項についての訂正が認められる場合には，一群の請求項の他の請求項とは別途訂正することの求めがあるので，請求項１ないし３に係る訂正と，請求項４に係る訂正とは別の訂正単位である。
　オ　まとめ
　以上のとおり，請求項〔１−３〕，４に係る訂正は，特許法第１３４条の２第１項及び同条第９項において準用する同法第１２６条第５項及び第６項の規定に適合するものであり適法なものである。
　
（２）　請求項５に係る訂正について
　ア　訂正の目的
　請求項５に係る訂正は，本件訂正前の請求項５に，「
印刷装置とネットワーク経由で接続される情報処理方法であって，
前記表示制御手段は，現在の設定内容が表示されている印刷設定画面に，複合設定の複数の選択候補を表示し，
　
ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行い，
読み出された複合設定に対応する設定内容で印刷を実行することが不可能であることが確認された場合は，前記表示制御手段は，実行できないことを示すメッセージを表示する
前記情報処理装置の
前記情報処理装置の
前記情報処理装置の
　したがって，請求項５に係る訂正は，特許請求の範囲の減縮を目的とするものである。
　イ　新規事項
（ア）　請求項５に係る訂正で付加した「
印刷装置とネットワーク経由で接続される情報処理方法であって，
前記表示制御手段は，現在の設定内容が表示されている印刷設定画面に，複合設定の複数の選択候補を表示し，
　
ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行い，
（イ）　請求項５に係る訂正で付加した「
読み出された複合設定に対応する設定内容で印刷を実行することが不可能であることが確認された場合は，前記表示制御手段は，実行できないことを示すメッセージを表示する
（ウ）　請求項５に係る訂正で付加した「
前記情報処理装置の
前記情報処理装置の
前記情報処理装置の
　したがって，請求項５に係る訂正は，願書に添付した明細書，特許請求の範囲又は図面に記載した事項の範囲内においてしたものである。
　ウ　拡張・変更
　請求項５に係る訂正は，実質上特許請求の範囲を拡張し，又は変更するものではない。
　エ　まとめ
　以上のとおり，請求項５に係る訂正は，特許法第１３４条の２第１項及び同法同条第９項において準用する同法第１２６条第５項，第６項の規定に適合するものであり適法なものである。
（３）　請求項６，７に係る訂正について
　ア　訂正の目的
（ア）　請求項６に係る訂正
　請求項６に係る訂正は，本件訂正前の請求項６の「をコンピュータに実行させるためのプログラムを記憶した記憶媒体。」を，「
ユーザによる指示に応じて，複合設定をメモリに追加する登録ステップと，
　
ユーザによる指示に応じて，複合設定をメモリから削除する削除ステップと，
，印刷装置とネットワーク経由で接続される
であって，
　
前記登録ステップにより追加された複合設定は前記削除ステップによる削除が可能であり，前記プログラムに元から用意されている複合設定は前記削除ステップによる削除が不可能であり，
　
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ，
　
読みだされた複合設定に対応する設定内容で印刷を実行することが不可能であることが確認された場合は，前記表示制御ステップは，実行できないことを示すメッセージを表示し，
　
前記複合設定とは，プリンタドライバが提供するユーザインターフェイスである印刷設定画面に表示される複数の設定シートで設定された前記設定内容を組み合わせた設定であり，
　
前記複合設定の選択変更は，印刷設定画面に表示される複数の設定シートのいずれからも行うことができる，ことを特徴とする記憶媒体。
　したがって，請求項６に係る訂正は，特許請求の範囲の減縮を目的とするものである。
（イ）　請求項７に係る訂正
　請求項７に係る訂正は，本件訂正前の請求項６を引用する請求項７を独立形式とし，また，本件訂正前の請求項６の「をコンピュータに実行させるためのプログラムを記憶した記憶媒体」を，「
ユーザによる指示に応じて，複合設定をメモリに追加する登録ステップと，
　
ユーザによる指示に応じて，複合設定をメモリから削除する削除ステップと，
，印刷装置とネットワーク経由で接続される
であって，
　
前記登録ステップにより追加された複合設定は前記削除ステップによる削除が可能であり，前記プログラムに元から用意されている複合設定は前記削除ステップによる削除が不可能であり，
　
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ，
　したがって，請求項７に係る訂正は，他の請求項の記載を引用する請求項の記載を当該他の請求項の記載を引用しないものとすること，及び，特許の請求の範囲の減縮を目的とするものである。
　イ　新規事項
（ア）　請求項６に係る訂正
　ａ　請求項６に係る訂正で付加した「
ユーザによる指示に応じて，複合設定をメモリに追加する登録ステップと，ユーザによる指示に応じて，複合設定をメモリから削除する削除ステップと，
前記登録ステップにより追加された複合設定は前記削除ステップによる削除が可能であり，前記プログラムに元から用意されている複合設定は前記削除ステップによる削除が不可能であり，
　ｂ　請求項６に係る訂正で付加した「
印刷装置とネットワーク経由で接続される
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ，
　ｃ　請求項６に係る訂正で付加した「
読みだされた複合設定に対応する設定内容で印刷を実行することが不可能であることが確認された場合は，前記表示制御ステップは，実行できないことを示すメッセージを表示し，
　ｄ　請求項６に係る訂正で付加した「
前記複合設定とは，プリンタドライバが提供するユーザインターフェイスである印刷設定画面に表示される複数の設定シートで設定された前記設定内容を組み合わせた設定であり，
　ｅ　請求項６に係る訂正で付加した「
前記複合設定の選択変更は，印刷設定画面に表示される複数の設定シートのいずれからも行うことができる，
　この点について詳細に説明する。
　本件明細書等の【００３４】には，次のように記載されている。
「【００３４】
　「お気に入り」の選択変更が確定した場合は（ステップＳ６０１―Ｙｅｓ），カレント設定の内容を保持するバッファ領域を，選択された「お気に入り」の設定内容で更新する（ステップＳ６０２）。変更対象は，カレントシート（図３の「ページ設定」というシート）だけでなく，非アクティブシート（図３の「仕上げ」・「給紙」・「印刷品質」のシート）を含むＵＩ上の全コントロールである。どこのシートから選択しても，変更対象は同じである。」
　この記載のうち，「どこのシートから選択しても，変更対象は同じである。」との記載における「選択」は，この段落の最初の文に記載された「お気に入り」の選択を意味していると理解でき，また，「どこのシートから選択しても」の「シート」は，この段落の２番目の文に記載された，【図３】（「印刷設定画面」といえる）の「ページ設定」，「仕上げ」，「給紙」及び「印刷品質」の４つのシートを意味していると理解できる（【図３】では，この４つのシート以外にシートは記載されていない。）。さらに，「変更対象」は，「カレントシート」（「ページ設定」シートである１つのシート）だけでなく，「非アクティブシート」（「仕上げ」，「給紙」及び「印刷品質」シートである３つのシート）を含む４つのシートのＵＩ上の全コントロールであることが理解できる（なお，「お気に入り」に関する処理については，本件明細書等の【００２９】にも，「・・・カレントの『お気に入り』がユーザにより選択変更された場合・・・，選択変更に関する一連の処理を行い・・・，各シートのコントロールを新しい設定に応じて変更する・・・」と記載されており，４つの各シートのいずれもがカレント，すなわち，カレントシートとなり得るのであって，カレントシートの「お気に入り」が選択変更されると（カレントシートを含む）各シートのコントロールを変更することが理解できる。）。
　そうすると，「どこのシートから選択しても，変更対象は同じである。」とは，【図３】の「ページ設定」，「仕上げ」，「給紙」及び「印刷品質」の４つのシートのうち，どこのシートから「お気に入り」の選択をしても，「お気に入り」の選択変更の対象は同じである，との意味であると理解できるから，本件明細書等の【００３４】及び【図３】には，「お気に入り」の選択変更は，【図３】の「ページ設定」，「仕上げ」，「給紙」及び「印刷品質」の４つのシートのうち，どこのシートからもできることが記載されているといえる。
　したがって，「お気に入り」の選択変更は，「複合設定の選択変更」であり，【図３】の「ページ設定」，「仕上げ」，「給紙」及び「印刷品質」の４つのシートは，「印刷設定画面に表示される複数の設定シート」であるから，結局，本件明細書等の【００３４】及び【図３】には，請求項６に係る訂正で付加した「
前記複合設定の選択変更は，印刷設定画面に表示される複数の設定シートのいずれからも行うことができる，
　これに対し，請求人は，当該事項の「いずれからも行なうことができる」とは，全ての設定シートから設定が可能なことを意味するところ，被請求人が訂正の根拠とする本件明細書等の【図３】と同じ実施例である【図１７】に示されたデバイスオプションの設定ダイアログも印刷設定画面であるのに，当該設定ダイアログにおいては複合設定の選択変更を行なうことはできず，少なくとも全ての設定シートから設定が可能でないことは明らかであるから，請求項６に係る訂正は，訂正要件を満たさないと主張する。
　しかしながら，本件明細書等の【００５８】の記載によれば，【図１７】は「『お気に入り』の設定項目，特にデバイスオプションの設定項目をユーザが設定するときの処理」について説明するダイアログの一例であって，「プリンタや複写機に装備されているデバイスオプションの確認及び設定を行うダイアログの一例」であるから，「お気に入り」の設定項目であるデバイスオプションの設定項目の確認や設定を行う際のダイアログにすぎず，「お気に入り」（複合設定）の選択変更を行うダイアログではない（なお，本件明細書等の【００２６】の記載によれば，【図３】は「『お気に入り』の選択，追加，編集を行う」際に表示されるダイアログの一例であるから，「複合設定の選択変更」を行うダイアログであるといえる。）。
　そうすると，【図１７】に示されるダイアログが，仮に印刷設定画面であるといえたとしても，当該ダイアログは複合設定の選択変更を行うこととは無関係であって，請求項６に係る訂正の可否の判断に影響を及ぼすものではない。そして，「お気に入り」，すなわち，「複合設定」の選択変更が，【図３】の「ページ設定」，「仕上げ」，「給紙」及び「印刷品質」の４つのシートのうち，どこのシートからもできることは上述のとおりであるから，請求人の主張は採用できない。
　よって，この訂正事項は，願書に添付した明細書，特許請求の範囲又は図面に記載した事項との関係において，新たな技術事項を導入するものではない。
　したがって，請求項６に係る訂正は，願書に添付した明細書，特許請求の範囲又は図面に記載した事項の範囲内においてしたものである。
（イ）　請求項７に係る訂正
　ａ　請求項７に係る訂正で付加した「
ユーザによる指示に応じて，複合設定をメモリに追加する登録ステップと，ユーザによる指示に応じて，複合設定をメモリから削除する削除ステップと，
前記登録ステップにより追加された複合設定は前記削除ステップによる削除が可能であり，前記プログラムに元から用意されている複合設定は前記削除ステップによる削除が不可能であり，
　ｂ　請求項７に係る訂正で付加した「
印刷装置とネットワーク経由で接続される
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ，
　したがって，請求項７に係る訂正は，願書に添付した明細書，特許請求の範囲又は図面に記載した事項の範囲内においてしたものである。
　ウ　拡張・変更
　請求項６，７に係る訂正は，いずれも，実質上特許請求の範囲を拡張し，又は変更するものではない。
　
　エ　一群の請求項，訂正単位
　訂正前の請求項７は，請求項６の記載を引用して記載されたものであるから，請求項６，７は一群の請求項である。
　なお，請求項７に係る訂正については，当該請求項についての訂正が認められる場合には，一群の請求項の他の請求項とは別途訂正することの求めがあるので，請求項６に係る訂正と，請求項７に係る訂正とは別の訂正単位である。
　オ　まとめ
　以上のとおり，請求項６，７に係る訂正は，特許法第１３４条の２第１項及び同法同条第９項において準用する同法第１２６条第５項，第６項の規定に適合するものであり適法なものである。
（４）　請求項８に係る訂正について
　ア　訂正の目的
　請求項８に係る訂正は，本件訂正前の請求項８の「印刷に関わる複数の設定内容を一括して変更するための複合設定」を「印刷に関わる複数の設定内容を一括して変更するための
，メモリに格納された
，印刷装置とネットワーク経由で接続される
であって，
　
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，ユーザにより選択された複合設定に関する前記選択ステップによる選択と，選択された複合設定に対応する設定内容で印刷装置に印刷を実行させることが可能であるか不可能であるかに対応した前記表示制御ステップによる表示とを前記コンピュータに実行させ，
　
前記複合設定とは，プリンタドライバが提供するユーザインターフェーイスである印刷設定画面に表示される複数の設定シートで設定された前記設定内容を組み合わせた設定であり，
　
前記複合設定の選択変更は，印刷設定画面に表示される複数の設定シートのいずれからも行うことができる，記憶媒体
　したがって，請求項８に係る訂正は，特許請求の範囲の減縮を目的とするものである。
　イ　新規事項
（ア）　請求項８に係る訂正で付加した「
メモリに格納された
（イ）　請求項８に係る訂正で付加した「
印刷装置とネットワーク経由で接続される
前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，ユーザにより選択された複合設定に関する前記選択ステップによる選択と，選択された複合設定に対応する設定内容で印刷装置に印刷を実行させることが可能であるか不可能であるかに対応した前記表示制御ステップによる表示とを前記コンピュータに実行させ，
　前記複合設定とは，プリンタドライバが提供するユーザインターフェーイスである印刷設定画面に表示される複数の設定シートで設定された前記設定内容を組み合わせた設定であり，
　前記複合設定の選択変更は，印刷設定画面に表示される複数の設定シートのいずれからも行うことができる，
　したがって，請求項８に係る訂正は，願書に添付した明細書，特許請求の範囲又は図面に記載した事項の範囲内においてしたものである。
　ウ　拡張・変更
　請求項８に係る訂正は，実質上特許請求の範囲を拡張し，又は変更するものではない。
　
　エ　まとめ
　以上のとおり，請求項８に係る訂正は，特許法第１３４条の２第１項及び同条第９項において準用する同法第１２６条第５項，第６項の規定に適合するものであり適法なものである。
　４　請求人の主張について
（１）　請求人は，本件特許には，請求人を含む複数の企業に対する通常実施権が設定されているから，訂正請求に際し，各通常実施権者の承諾が必要であるところ，被請求人は，各通常実施権者から承諾を得た旨の承諾書を提出していないし，請求人は訂正請求について承諾していないから，通常実施権者の承諾のない本件訂正請求及び平成３０年４月２日付け訂正請求は却下されるべきであると主張する。
　そこで，以下，検討する。
　特許無効審判において，特許権者は，許諾による通常実施権者があるときは，これらの者の承諾を得た場合に限り，訂正請求をすることができるとされているから（特許法第１３４条の２第１項及び第９項，第１２７条，第７８条第１項），特許権者が訂正請求をするときには，許諾による通常実施権者が存在する場合，当該通常実施権者の承諾を得ることが必要であると解される。
　これを本件特許無効審判についてみるに，請求人が提出した，被請求人作成の有価証券報告書・事業年度第１１７期（甲第１８号証）によれば，本件特許の特許権者である被請求人は，技術供与契約として，請求人を含む日本及び米国の複数の企業と特許実施権の許諾に関する契約を締結しており，また，同様に，相互技術援助契約として，日本及び米国の複数の企業と特許実施権の許諾に関する契約を締結しているところ，そのいずれの契約においても，各企業との契約期間の終了は，対象特許の満了日までとされている（なお，請求人と被請求人との間で締結した実施許諾契約書（甲第１９号証）にも，通常実施権について同じ趣旨の記載がある。）。
　そして，本件特許が上記各契約の対象となる特許実施権に係る特許であること，当該特許実施権が許諾による通常実施権であることに争いはないから，本件特許について上記各契約による通常実施権者が存在するのは，本件特許の満了日，すなわち，存続期間終了日までであって，それ以降は許諾による通常実施権者は存在しないものと認められる。また，本件特許について，上記各契約を締結した複数の企業以外に，許諾による通常実施権者が存在するとの主張・立証はないから，許諾による通常実施権者は上記各契約を締結した複数の企業のみであると解するのが相当である。
　そうすると，本件訂正請求は，本件特許の存続期間終了日（平成３１年２月１８日）以降である平成３１年４月４日にするものであるから，上述のとおり，本件訂正請求をするときに承諾を得る必要のある，許諾による通常実施権者は存在しない。よって，被請求人は，本件訂正請求に際し，各通常実施権者から承諾を得た旨の承諾書を提出する必要はないし，請求人から訂正請求について承諾を得る必要もないから，本件訂正請求は適法にされたものであり，本件訂正請求を却下する理由はない。
　なお，平成３０年４月２日付け訂正請求は，上述のとおり，本件訂正請求がされたことによって取り下げられたものとみなされるから（特許法第１３４条の２第６項），平成３０年４月２日付け訂正請求を却下することはできない。
　したがって，請求人の主張は採用できない。
（２）　また，請求人は，特許無効審判における訂正請求について，特許権消滅等により通常実施権が終了した場合も通常実施権者の承諾が必要であると主張する。
　しかしながら，上記（１）のとおり，本件特許に係る通常実施権の許諾に関する契約の期間は，本件特許の存続期間終了日までと定められており，本件訂正請求をするときに承諾を得る必要のある，許諾による通常実施権者は存在しない。
　なお，特許無効審判における訂正請求の際に，通常実施権者の承諾を得ることを必要としたのは，訂正請求は，もっぱら，無効審判の請求に対する防御策と考えられるところ，訂正請求が通常実施権者や専用実施権者等の利害関係者にとって利益になることはあっても不利益になることはないが，特許権者が誤解に基づいて不必要な訂正請求をしたり，瑕疵の部分のみを減縮すれば十分であるのにその範囲を超えて訂正請求をすることも考えられ，そうなると利害関係者は不測の損害を被ることもあるので，一応訂正請求をする場合には，利害関係者の承諾を得なければならないとしたものであると解される。
　そして，通常実施権者は，特許権者から特許権について通常実施権を許諾された者であり，業としてその特許権に係る特許発明の実施をする権利を有するものであるから（特許法第７８条），特許権の存続期間中は，特許権者から何ら権利行使を受けずに特許発明の実施をすることができるという利益があるといえ，特許無効審判における訂正請求についても，通常実施権者の承諾を得ることが必要とされていることによって，上述の不測の損害を被ることを防止するという利益があるということができる。
　一方，特許権の存続期間終了後は，通常実施権者であった者に関わらず，他の第三者も特許権者から何ら権利行使を受けずに特許発明の実施をすることができるのであるから，通常実施権者が有する上記利益は存在しないこととなる。
　そうすると，特許権の存続期間終了後に，特許権者が特許無効審判における訂正請求をするときには，通常実施権者が有する上記利益は存在しないのであるから，特許権者は，通常実施権者の承諾を得る特段の必要はないというべきである。
　これに対し，請求人は，特許法第１２７条が通常実施権者について確保しようとする利益としては特許を無効にする利益（特許を無効にして実施料の支払いを免れる利益）が中心であることは明らかである，通常実施権者が無効審判を請求した場合，特許を無効とする利益は特許権の消滅にかかわらず存続するのに，特許権が存続していた間は必要とされていた訂正請求についての承諾が特許権が消滅した途端に不要となるというのでは，特許を無効とする利益を確保した無効審判制度の趣旨にも，訂正請求によって不利益を被る通常実施権者等の利益を確保しようとする特許法第１２７条の趣旨にも全く悖る極めて不条理な結果となる，などと主張する。
　確かに，請求人の主張するように，通常実施権者は，自らその通常実施権に係る特許について，特許無効審判を請求し，訂正請求の承諾をしないことによって，結果的に特許を無効とし，実施料の支払いを免れる利益があるということも考えられる。
　しかしながら，そのような利益は，特許権者が何らかの権利行使をし得る，特許権の存続期間中に存在するのであって，特許権の存続期間終了後には想定しがたく，かえって，特許無効審判の手続中に，対象となる特許権の存続期間が終了した場合，同時に通常実施権の許諾に関する契約も終了し，それ以降は特許権者に実施料の支払いをすることなく，特許発明の実施をすることができるのであるから，実施料の支払いを免れるという利益は何ら失われるものではない。
　したがって，請求人の主張は採用できない。
　５　本件訂正請求についてのまとめ
　以上によれば，本件訂正請求は適法にされたものであるから，本件特許の特許請求の範囲を訂正請求書に添付され訂正特許請求の範囲のとおり，訂正後の請求項〔１−３〕，４，５，６，７及び８について訂正することを認める。
第３　本件特許発明
　上述のとおり，本件訂正請求は適法なものとして認められるので，本件特許発明は，本件訂正請求により訂正された特許請求の範囲（上記第２の２（２））の請求項１ないし８に記載された事項により特定されるとおりの発明（以下，それぞれ，「本件発明１」，「本件発明２」・・・「本件発明８」等という。）である。
第４　請求，答弁及び主張の概要
　１　請求人
（１）　請求の趣旨
　本件特許の特許請求の範囲の請求項１ないし８に記載された発明についての特許を無効とする，審判費用は被請求人の負担とする，との審決を求める，というものである。
（２）　無効理由
　ア　無効理由１
　請求項１ないし８に係る発明は，甲第１号証に記載された発明であるから，特許法第２９条第１項第３号に該当し，また，甲第１号証に記載された発明及び周知技術に基づいて，当業者が容易に発明をすることができたものであるから，特許法第２９条第２項の規定により特許を受けることができないものであり，その特許は同法第１２３条第１項第２号の規定に該当し，無効とすべきである。
　イ　無効理由２
　請求項１ないし８に係る発明は，甲第２号証に記載された発明であるから，特許法第２９条第１項第３号に該当し，また，甲第２号証に記載された発明及び周知技術に基づいて，当業者が容易に発明をすることができたものであるから，特許法第２９条第２項の規定により特許を受けることができないものであり，その特許は同法第１２３条第１項第２号の規定に該当し，無効とすべきである。
［証拠方法］
　甲第１号証：特開平９−１４６７３１号公報
　甲第２号証：特開平１−１４７５５９号公報
　甲第３号証：特開平１０−４９３１８号公報
　甲第４号証：特開平６−７８１４３号公報
　甲第５号証：特開平１０−６７１２７号公報
　甲第６号証：特開平９−１７９７０４号公報
　甲第７号証：特開平７−２３４７６７号公報
　甲第８号証：特開平８−１８５２９４号公報
　甲第９号証：特開平１０−３０１７２３号公報
　甲第１０号証：特開平９−２６８６７号公報
　甲第１１号証：特開平８−３３６０１２号公報
　甲第１２号証：特開平８−２７８８６３号公報
　甲第１３号証：特開平１０−１８７３８４号公報
　甲第１４号証：キヤノン株式会社製　インクジェットプリンタ　ＢＪ　Ｆ６００　基本操作ガイド　表紙，はじめに，目次，１１〜１２頁，裏表紙（http://cweb.canon.jp/manual/bj/bjf600/f600basic.pdf），平成３０年６月１５日請求人代理人出力の写し
　甲第１５号証：ウェブページ「ＰＣ　Ｗａｔｃｈホームページ　キヤノン，インクジェットプリンタ３機種　'９８年１１月５日より順次発売」（https://pcwatch.impress.co.jp/docs/article/981029/canon.htm），平成３０年６月１５日請求人代理人出力の写し
　甲第１６号証：キヤノン株式会社製　インクジェットプリンタ　ＢＪ　Ｆ６００　リファレンスガイド　表紙，２〜５頁，１５０〜１８２頁（http://cweb.canon.jp/manual/bj/bjf600/f600refer.pdf），平成３０年６月１５日請求人代理人出力の写し
　甲第１７号証：特開平９−２４４８４３号公報
　甲第１８号証：有価証券報告書　事業年度第１１７期　自２０１７年１月１日　至２０１７年１２月３１日（表題，１頁及び２８頁抜粋）（http://global.canon/ja/ir/yuuhou/canon2017.pdf）
　甲第１９号証：実施許諾契約書（一部黒塗りを施したもの）
　２　被請求人
（１）　答弁の趣旨
　本件無効審判の請求は成り立たない，審判費用は請求人の負担とする，との審決を求める。
（２）　主張
　訂正後の特許請求の範囲の請求項１〜８に係る発明は，いずれも甲第１号証に記載された発明，甲第２号証に記載された発明に対して新規性及び進歩性を有するから，請求人主張の無効理由１，２には該当しない。
［証拠方法］
　乙第１号証：本　俊也，Ｖｉｓｕａｌ　Ｊ＋＋６．０入門，初版第１刷，株式会社インパルス，１９９８年１０月１日，ｐ．１４５，写し
　乙第２号証：田中　亘，Ｗｉｎｄｏｗｓの常識事典，初版，株式会社日本実業出版社，１９９３年１２月２０日，ｐ．３５，写し
第５　当審の判断
　１　無効理由１について
（１）　甲第１号証の記載事項，甲１発明，甲１方法発明及び甲１媒体発明
　甲第１号証（特開平９−１４６７３１号公報）には，図面とともに次の事項が記載されている（下線は，当審で加筆した。以下，同じ。）。
　ア　「【０００１】
【発明の属する技術分野】この発明は，例えば，複数の印刷出力装置（この明細書では印刷には複写を含み，印刷出力装置にはプリンタのほか複写機などを含む）が通信ネットワークに接続された分散型のネットワーク印刷システムにおいて，前記複数の印刷出力装置を切り換えて利用する場合に使用する印刷指示装置に関する。
【０００２】
【従来の技術】分散型のネットワーク印刷システムにおいて，例えば１台のコンピュータなどの印刷指示装置から，複写機やプリンタなどの印刷出力装置の選択操作や，その印刷出力装置に対する印刷要求のために設定可能な印刷指示設定項目（例えば用紙サイズ設定，拡大率／縮小率の設定，片面／両面指定，印刷部数の設定，オプション機能の使用／不使用の設定など）の設定を行なって，ネットワークに接続された複数の印刷出力装置の中から印刷出力装置を選択して切り換えて利用する場合，従来，いくつかの方法が行なわれている。
【０００３】第１の従来例は，ネットワークに接続された複数個のプリンタの一つを選択して，それに印刷指示を与える場合に，各プリンタ毎に設けられるプリンタドライバを切り換えるようにするものである。
【０００４】すなわち，例えば図４０に示すように，ｎ個（ｎは２以上の自然数）のプリンタＰ１，プリンタＰ２，…，プリンタＰｎのそれぞれに対応して，プリンタドライバＤ１，プリンタドライバＤ２，…，プリンタドライバＤｎを設け，各プリンタドライバから印刷指示設定情報と，印刷すべき文書情報などのプリンタ情報とを通信手段Ｃ１〜Ｃｎをそれぞれ通じてプリンタＰ１〜Ｐｎに送るように構成する。この場合，プリンタドライバＤ１〜Ｄｎのそれぞれは，その印刷指示設定項目を印刷指示設定のための表示ウインドウとして表示し，ユーザーからの印刷指示設定項目の設定を受け付けるようにする表示処理部Ｗ１〜Ｗｎと，各プリンタに送るべきプリンタ情報の処理を行う印刷データ処理部Ｆ１〜Ｆｎとを備える。
【０００５】そして，ユーザーは，プリンタＰ１〜プリンタＰｎのうちの一つを選択して利用しようとする場合には，その利用したいプリンタに対応するプリンタドライバを識別して選択する。すると，その選択されたプリンタドライバは，その表示処理部Ｗを用いて印刷指示設定項目の設定操作パネル画面を表示するので，ユーザーは，その設定操作パネル画面で前記の印刷指示設定項目の設定を行なった後，印刷ジョブの実行を指示する。印刷ジョブは，前記印刷指示設定項目の設定情報を含む印刷指示情報と印刷データとからなる。なお，以下の説明において，単に「ジョブ」というときも，印刷ジョブを意味している。
【０００６】この印刷ジョブの実行指示を受けると，プリンタドライバは，これに与えられた印刷すべきプリンタ情報をその印刷データ処理部Ｆにより，このプリンタドライバに対応するプリンタのフォーマットに適合する印刷データに変換し，前記の印刷指示設定項目の情報と共に，それぞれ通信手段Ｃ１，通信手段Ｃ２，…，通信手段Ｃｎの内の対応するものを介して，プリンタＰ１，プリンタＰ２，…，プリンタＰｎの内の対応するものに送られる（Microsoft Windows Ver.3.1 Operating System 機能ガイド 第５章参照）。
【０００７】また，第２の従来例は，ネットワークに接続された複数のプリンタのそれぞれに対応してボタンアイコンを設定しておき，一つのプリンタを選択するときには，対応するボタンアイコンを指示することで，そのプリンタに対するプリンタオプションのウインドウを開き，各種印刷指示設定項目の設定，印刷出力指示を行なうようにしたものである。
【０００８】また，第３の従来例として，ネットワークに接続されて遠隔にある複写機に出力指示する際に，ユーザーと対話的にガイダンスを交え，各々の複写機能の設定を行ない，最後に出力指示するというものもある（特公平６−３４４９８号公報参照）。
【０００９】なお，従来から，複写機においては，例えば特開平１−２４６５７２号公報，特開平２−３３１０５９号公報，特開平３−１５１２９２号公報，特開平５−３２３７０３号公報，特開平６−８９０５５号公報等に示されているように，複写の後処理としてホチキス止めなどの，いわゆるフィニッシング処理を行なうことができる。
【００１０】
【発明が解決しようとする課題】上述した第１の従来例の場合，プリンタドライバは，対応するプリンタの装備機能を固定的に保持しているものであり，印刷出力先を変えようとする場合には，ユーザーが利用したい装備機能を，選択しようとしているプリンタが実際に装備しているか否かを確認し，そのプリンタに対応したプリンタドライバをユーザーが識別して切り換えなければならない。
【００１１】そして，ネットワークに接続されたプリンタを利用するためには，予め利用するすべてのプリンタのプリンタドライバソフトウエアをコンピュータにインストールしておき，利用するためにウインドウ画面から利用するプリンタを指定してプリンタドライバを切り換える必要があり，１台のパーソナルコンピュータから複数のプリンタを切り換えながら利用することは極めて不便である。
【００１２】また，同時に異なるプリンタに出力することはできなかった。これは，プリンタドライバを切り換えることは，これを利用するアプリケーションへの切り換えの通知やネットワークドライバやネットワークキュー（スプール）と常に関係しているために簡単ではなかったことによる。また，このために複数のプリンタドライバを同時に実行することはできなかった。
【００１３】さらに，印刷出力先を変えようとすると，出力先の変更のウインドウを閉じる必要がある。そのために，それまで設定していた情報がすべてリセットされてしまい，出力先変更後に再度同じ情報を再入力しなければならないという使い難さがあった。
【００１４】また，第２の従来例の場合には，プリンタの装備機能などの情報はプリンタオプションのウインドウを開く時に一度取得するだけで，プリンタオプションをウインドウで開いた状態からはプリンタの装備機能の情報を取得することができない。また，印刷出力先を指定した後は出力先を変更することはできず，一旦，印刷指示手順の取り消しを行ない，初めから，変更後のプリンタに対する印刷指示手順を行なう再入力および再設定が必要となる。
【００１５】また，第３の従来例の場合には，ユーザーと対話的にガイダンスを交えて複写機能設定を行なうものであり，遠隔にある出力先の複写機の機能を一覧することができないため，どのように印刷出力することができるかが，設定の最後まで進まないと把握できず，必要とする機能を有する複写機を選択する上で非常に不便であった。
【００１６】また，従来，利用者が印刷物にフィニッシング処理を行なう場合には，前記公報に記載されたものでは，一旦，印刷した原稿を複写機まで持っていき，複写機に原稿をセットし，フィニッシング処理の指定をして複写処理をしなければならなかった。
【００１７】この発明は，以上の点にかんがみ，通信ネットワークに接続された複数の印刷出力装置を簡単な切り換え操作で利用することができ，また，各印刷出力装置が備える，例えばフィニッシング処理などの装備機能をも，遠隔から有効に利用できるようにした印刷指示装置を提供することを目的とする。
【００１８】また，この発明は，ネットワークに接続された複数の印刷出力装置に対して，できるだけ簡単な設定操作で印刷指示を行なうことができるようにする印刷指示装置を提供することを目的とする。」
　イ　「【００７３】
この例の印刷指示装置機能部に搭載されるプリンタドライバ（ソフトウエア）は，図４０で示したものと異なり，印刷指示設定項目設定のための表示処理は不要であって，印刷データを，選択した印刷出力装置用のものに変換する印刷データ処理機能を有するだけでよい
・・・
【００７５】この場合の印刷指示装置機能部による印刷出力先の切り換え処理の概略を，図４０の従来例との比較において説明すると，図３に示すようなものとなる。すなわち，
図３に示すように，印刷指示装置機能部２０は，複数の印刷出力装置の例としてのプリンタＰ１〜Ｐｎのそれぞれの印刷指示操作パネルをすべて切り換えて表示できる共通ユーザーインターフェイス部２１を備えると共に，各プリンタＰ１〜Ｐｎ用の印刷データ処理部２２ａと，共通ユーザーインターフェイス部２１で表示する事項以外で必要な一部表示処理部２２ｂとを具備するプリンタドライバ部２２とを備える
　ウ　「【００８２】
図１において，１００は印刷指示装置，２００は印刷管理装置で，これらは前述したように通信ネットワークのＬＡＮ１０に接続されている。この例では，印刷管理装置２００に対して印刷出力装置３０１および３０２が接続されると共に，印刷出力装置３０３がＬＡＮ１０に直接的に接続されている。
・・・
【００８８】
装置情報提供部２０２は
印刷出力装置３０１，３０２，３０３からオプション情報
を取得し，印刷指示装置１００からの要求によりこれらの情報を含む装置情報を印刷指示装置１００に提供する
　エ　「【００９０】次に，印刷指示装置１００の構成について説明する。
【００９１】
印刷指示装置１００は，装置情報管理部１０１，出力先選択部１０２，出力切り換え部１０３，装置情報取得部１０４，装備機能・状態解析部１０５，表示情報構成部１０６，表示情報保存部１０７，表示制御部１０８，ディスプレイ（表示部）１０９，設定情報保存部１１０，デフォルト値保存部１１１，指示設定操作部１１２，プリンタドライバ１２１，印刷データ保存部１２２，ジョブ発行部１２３を備える。
【００９２】
装置情報管理部１０１は，前述したように
装置情報提供部２０２とから，通信部１３０を通じて
装置情報を取得して管理する
【００９３】
前記情報を取得するために，印刷指示装置１００から印刷管理装置２００に対して要求を出す契機は，印刷指示装置１００の実行開始時，ユーザーが指示したとき，あるいは一定時間間隔ごとである
【００９４】図４は，この装置情報管理部１０１が前記装置情報等を取得する処理動作の一例のフローチャートである。
【００９５】すなわち，まず，タイマがセットされる（ステップＳ１０１）。次に，印刷指示装置１００の実行開始時の取得要求やユーザーの指示による取得要求があるか否か判別する（ステップＳ１０２）。
【００９６】これら取得要求がなければ，タイマ時間が予め定められた一定時間Ｔになったか否か判別し（ステップＳ１０３），タイマ時間が一定時間Ｔ以内であれば，ステップＳ１０２に戻る。タイマ時間が一定時間Ｔになったときには，装置情報等の取得の処理を実行する（ステップＳ１０４）。
【００９７】ステップＳ１０２で，前記取得要求があると判断されたときには，即座にステップＳ１０４に飛んで，装置情報等の取得の処理を実行する。ステップＳ１０４の後は，ステップＳ１０１に戻って，タイマをセットし直し，上述の処理を繰り返し行う。
【００９８】出力先選択部１０２はユーザーが印刷出力先を指定あるいは変更を行なうときに働く。すなわち，ユーザーによる印刷出力先の指定／変更要求があると，この出力先選択部１０２は，装置情報管理部１０１に対して識別子情報および装置情報の取得の指示を出すと共に，出力先切り換え部１０３に対して，装置情報取得部１０４による装置名と装置情報の取り出し，および装備機能・状態解析部１０５，表示情報構成部１０６によるＬＡＮ１０上のすべての印刷出力装置の識別子の一覧リスト，あるいはＬＡＮ１０上の複数の印刷出力装置の内から予め選択された印刷出力装置の識別子の一覧リスト，この例の場合には装置名一覧リストの生成と，その一覧リストの表示データを作成を指示し，後述する表示制御部１０８に基づいて装置名リストを，表示制御部１０８によりディスプレイ１０９の画面に表示させるようにする。
【００９９】装置名リストのウインドウで印刷出力装置を削除，追加することで，ユーザーはＬＡＮ１０上の複数の印刷出力装置の内の利用したいものを予め選定することができる。
【０１００】そして，このウインドウの一覧リストで，ユーザーが一つの印刷出力装置を選択指示すると，表示制御部１０８から，ユーザーの選択操作により選択された印刷出力装置の装置名の情報が出力先選択部１０２に送られてくるので，出力先選択部１０２は，当該選択された装置名の情報と切り換え指示とを出力先切り換え部１０３に通知する。
【０１０１】図５は，この出力先選択部１０２を中心とした上述の処理動作を表すフローチャートである。すなわち，まず，出力先選択部１０２は，ユーザーの印刷出力先の指定あるいは変更入力に応じて装置情報管理部１０１に対して識別子情報および装置情報の取得の指示を出す（ステップＳ１１１）。
【０１０２】次に，出力先切り換え部１０３が，出力先選択部１０２からの指示により，装置情報取得部１０４，装備機能・状態解析部１０５，表示情報構成部１０６に前述したような指示を出すので，識別子リストが表示情報構成部１０６に渡されて（ステップＳ１１２），この表示情報構成部１０６で識別子リスト，すなわち，装置名の一覧リストが生成され，この装置名一覧リストのウインドウがディスプレイ１０９に表示される（ステップＳ１１３）。
【０１０３】次に，表示制御部１０８は，マウスボタンが操作されて，一覧リスト中の特定の装置名が選択されたか否か判断し（ステップＳ１１４），特定の装置名が選択されたと判断したときには，指定された装置名を例えばハイライト表示してユーザーに知らせる（ステップＳ１１５）。そして，キャンセルボタンの操作があったか否か判断し（ステップＳ１１８），キャンセルボタンの操作がなければ，ステップＳ１１４に戻る。
【０１０４】ステップＳ１１４で，表示制御部１０８は，マウスボタンの操作がなされないと判断すると，選択ボタンの操作がなされたか否か判断する（ステップＳ１１６）。選択ボタンが操作されたと判断したときには，表示制御部１０８は，装置の切り換え選択が確定したとして，選択された装置名情報を出力先選択部１０２に送るので，出力先選択部１０２は，当該選択された装置名情報と切り換え指示とを出力先切り換え部１０３に出力する（ステップＳ１１７）。そして，選択動作を終了させる。また，ステップＳ１１６で選択ボタンが操作されないと判断されたときにはステップＳ１１８に進む。ステップＳ１１８で，キャンセルボタンが押されたと判断されたときには，この選択動作が終了となる。
【０１０５】出力先切り換え部１０３は，出力先選択部１０２からの切り換え指示に従い，選択された印刷出力装置名を識別子として受け取り，装置情報取得部１０４にその印刷出力装置名に対応する装置情報の取得を指示する。また，出力先切り換え部１０３は，表示制御部１０８に印刷要求のための印刷指示操作パネルの表示画面の切り換えを指示する。さらに，
出力先切り換え部１０３は，プリンタドライバ１２１（図３のプリンタドライバ２２に対応）に対して，印刷出力装置の切り換えを指示する
【０１０６】図６は，この出力先切り換え部１０３の動作を表すフローチャートである。すなわち，出力先選択部１０２からの指示を受けると（ステップＳ１２１），その指示が一覧リスト作成の指示であるか否か判断し（ステップＳ１２２），そうであれば前述したような装置名一覧リストを作成する際に，この出力先切り換え部１０３で行われる処理が実行される（ステップＳ１２３）。
【０１０７】出力先切り換え部１０３は，ステップＳ１２２で出力先選択部１０２からの指示が一覧リスト作成の指示でないと判断したときには，印刷出力装置の切り換え指示であるか否か判断し（ステップＳ１２４），切り換え指示であれば，出力先切り換えのための処理を実行し，装置情報取得部１０４，装備機能・状態解析部１０５，表示制御部１０８，プリンタドライバ１２１に対して前述したような指示を与える（ステップＳ１２５）。
【０１０８】装置情報取得部１０４は，出力先切り換え部１０３からの切り換え指示を受けて，装置情報管理部１０１からその印刷出力装置名の装置情報を取得し，装備機能・状態解析部１０５に渡す。このとき，装置情報取得部１０４が取得する装置情報には，例えば以下に示すような情報が含まれるものである。
【０１０９】すなわち，
・出力解像度（例えば４００dpi ）
・印刷出力装置のモデル名
・現在セットされている用紙サイズの種類（例えば，トレイ１＝B4，トレイ２＝A3，トレイ３＝A4，手差し＝はがき）
・拡大縮小率の範囲（例えば２５％〜４００％）
・両面印刷可否，可であれば短辺綴じ／長辺綴じの可否
・Ｎup機能の設定可能数（例えば，無し／２up／４up／９up）
・排紙トレイの種類（例えば，上面／ソータ／ＨＣＳ）
・フィニッシング処理の可否，可であれば製本／ホチキス止めの種類，種類が製本であれば綴じ位置（例えば，左綴じ／右綴じ），種類がホチキス止めであれば，その止め位置（例えば，左上一か所，左二か所，左下一か所，右一か所，右二か所，右下一か所等）
などである。なお，Ｎupの機能は，Ｎin１機能とも呼ばれる場合があるが，１枚の用紙に複数（Ｎ）頁を表示し，印刷する機能である。
【０１１０】
装備機能・状態解析部１０５は，渡された情報から，選択された印刷出力装置の装備機能および性能に関する情報を解析し，機能（例えば両面印刷／複写可能，使用可能な用紙サイズ，縮小／拡大可能，ソーター使用可能，フィニッシング処理可能など）およびそれに関する性能（例えば，数値入力や用紙指定の縮小／拡大可能など）を決定する。また，選択された印刷出力装置の状態情報を解析し，装置状態を決定する。そして，その決定結果を表示情報構成部１０６に送る。
【０１１１】表示情報構成部１０６は，出力先切り換え部１０３からの切り換え指示に基づいて，装備機能・状態解析部１０５から前記の解析結果の情報を受け取る。そして，表示情報構成部１０６は，状態情報の解析結果が，選択された印刷出力装置が故障などで使用可能でないことを示しているときは，エラーメッセージの表示情報を構成し，それを表示制御部１０８で表示を行なうために利用する表示バッファとしての表示情報保存部１０７に送り，ディスプレイに表示する。
【０１１２】そして，
表示情報構成部１０６は，選択された印刷出力装置が使用可能であるときには，装備機能および装置の状態の解析結果に従って表示情報を生成して，新たに選択された印刷出力装置についての印刷指示操作パネルを再構成し，表示制御部１０８を通じてディスプレイに表示する。
【０１１３】この基準操作画面は，ネットワークに接続された複数の印刷出力装置の装備機能や状態情報など，印刷指示操作に関連する情報を装置情報管理部１０１が取得するので，その取得した情報に基づいて，すべての印刷指示操作項目をカバーするように，表示情報構成部１０６において，予め構成されて保存されている。
【０１１４】なお，この基準操作画面の情報は，この実施の形態のように，ネットワークに接続された印刷出力装置から取得した装備機能や状態情報に基づいて自動的に予め作成しておくのではなく，ネットワークに接続される複数の印刷出力装置の装備機能や状態情報を予めすべて考慮して，それらすべてをカバーするように作成したものを用意するようにしてもよい。
【０１１５】この場合，
印刷指示操作パネルは，複数の印刷出力装置に共通にするために，印刷出力装置の機能数に関係なく，一定の大きさを保つように，この印刷指示操作パネルを複数枚に分割して表示する構成とする。この例では，複数枚に分割した印刷指示操作パネルのそれぞれを，「基本」「その他」「一覧」「フィニッシング」のようにカテゴリーにより分類する。
【０１１６】すなわち，この例では，印刷指示操作パネルは，基本機能群の操作パネルと，その他の機能群の操作パネルと，基本機能群とその他機能群のすべての機能を一面に表示する一覧操作パネルとに分割する。さらに，この例の場合，基本機能群およびその他の機能群に含まれない，印刷処理の前処理や後処理，例えば後処理としてのフィニッシング処理などのその他のオプションについては，そのオプションの機能についての操作パネルを別に用意する。その他のオプションとしては，印刷処理の前処理としてのスキャナーやイメージリーダーによる原稿読み取り機能もあるが，この実施の形態では，フィニッシング処理の機能についてのみ説明することとする。
【０１１７】基本機能群の操作パネルの例を図７に，その他の機能群の操作パネルの例を図８に，一覧操作パネルの例を図９に，それぞれ示す。また，その他のオプションの例としてのフィニッシング処理の操作パネルの例を図１０に示す。
【０１１８】これら図７〜図１０において，３１はカテゴリー表示欄である。この例においては，前述したように，
「基本」「その他」「一覧」「フィニッシング」のカテゴリーを選択するためのカテゴリーボタンが，このカテゴリー表示欄３１に表示される。
【０１１９】ただし，この例の場合，表示スペースの関係で，カテゴリー表示欄３１に表示可能なカテゴリーボタンは３個であり，スクロール操作部３１ａを操作して，上下にスクロールさせることにより，選択可能な操作パネルを呼び出すカテゴリーボタンを，このカテゴリー表示欄３１に表示させることができる。
【０１２０】そして，
このカテゴリー表示欄３１中の一つのボタンをマウス等で指定すると，
表示制御部１０７は，そのカテゴリーの印刷指示操作パネルをウインドウ表示する。
【０１２１】なお，「基本」「その他」「一覧」のカテゴリーボタンは，常にカテゴリー表示欄３１に表示されるが，後述もするように，フィニッシング処理を選択するカテゴリーボタンは，フィニッシング処理機能を装備している印刷出力装置が利用者により選択されたときにのみ，このカテゴリー表示欄３１に表示するようにしている。したがって，ユーザが例えばフィニッシング処理機能を有しない印刷出力装置を選択したときには，カテゴリー表示欄３１には，「フィニッシング」のカテゴリーボタンは現れず，このため，図１０のフィニッシング処理の操作パネルも表示されることはなく，ユーザによるフィニッシング処理に関する設定が不可となる。
【０１２２】各操作パネルの表示欄３２には，各カテゴリーにおける各機能の設定項目内容が表示される。また，表示欄３３は印刷指示対象のファイル名を表示する欄であり，表示欄３４は印刷指示装置から発行した印刷ジョブの現在の状態を表示するための欄である。さらに，表示欄３５は各種のボタンアイコンの表示欄であり，また，表示欄３６には，その操作パネルが対応する印刷出力装置の現在の状態がメッセージ表示される。
【０１２３】図７に示すように，
基本機能群の操作パネルにおいて，表示される機能は，この例では，
・部数指定 ・両面／片面指定 ・綴じ方向指定 ・綴じ代位置指定 ・綴じ代量指定 ・用紙サイズ指定 ・拡大縮小率指定 ・丁合する／しない ・排紙トレイ指定 ・オフセットスタック指定ならびに指定単位とされている。
【０１２４】また，その他の機能群の操作パネルにおいて，表示される機能は，この例では図８に示すように，
・Ｎup（Ｎin１）指定 ・仕分紙指定 ・セキュリティプリント指定ならびにそのパスワードである。
【０１２５】ここで，セキュリティプリントの機能とは，印刷データにパスワードを付帯してジョブを発行する機能である。セキュリティプリントの機能が設定されると，プリンタにおいて，そのジョブが印刷される順番になっても通常は出力されないで，待機状態のままとなる。このジョブを印刷するためには，印刷される順番になった後で，プリンタでそのジョブを指定し，印刷指示操作パネルで設定したパスワードと一致するパスワードを入力しなければならない。
【０１２６】一覧操作パネルは，図９のように，上記の基本機能と，その他機能とを合わせた機能を，設定のし易さよりも一覧できることを重視したレイアウトデザインで表示する。
【０１２７】図１０の例のフィニッシング処理についての操作パネルの表示欄３２には，前述したフィニッシング処理の種類として「製本」および「ホチキス止め」と，そのそれぞれについての設定項目が表示される。
【０１２８】
表示情報構成部１０６は，選択された印刷出力装置に対して，図９に示される基準操作画面の全機能をユーザーが設定可能の状態で印刷指示操作パネルを再構成するのではなく，装備機能・状態解析部１０５からの解析結果から，選択された印刷出力装置が装備する機能を判別し，装備していない機能は，使用不可として，ユーザーが設定を入力することができないような状態で印刷指示操作パネルの表示情報を再構成する。
【０１２９】
例えば，装備機能ではないので設定不可とするように表示する方法としては，当該使用できない装備機能に関する印刷指示設定項目を印刷指示操作パネル上に表示しない方法，使用不能であるマークを付与して表示して，設定入力を不能または無効とする方法，シェード表示（他の印刷指示設定項目の表示に比べて濃度を薄くして表示）し，このシェード表示の印刷指示設定項目への設定を不能または無効とする方法などがある。
【０１３０】図７〜図１０の表示例では，基準操作画面の前記複数の設定項目のうち，装備していない機能の印刷指示設定項目をシェード表示して，ユーザーによる設定不能にして，印刷指示操作パネルを再構成している。また，例えば図１０のフィニッシング処理の操作パネルのフィニッシング処理の種類である「製本」や「ホチキス止め」のような機能項目に，それぞれ下位の項目がある場合には，その機能項目を選択していないときには，その下位の項目はすべてシェード表示されており，前記上位の機能項目が選択されると，その下位の内の選択設定可能な項目のみがシェード表示から実表示に変わるようにされている。
【０１３１】なお，図７〜図１０において，○印は，各印刷指示設定項目の設定ボタンを示し，当該設定ボタンがマウスにより指示されて，その印刷指示設定項目が設定されると，この設定ボタンの表示が◎の表示に変わり，設定されたことがユーザーに知らされる。
【０１３２】さらに，表示情報構成部１０６は，印刷指示操作パネルをディスプレイ１０９の表示画面に表示するに当たって，後述するようにして，前回の印刷出力装置についての設定情報と，予め設定されている標準値（デフォルト値）とを用いて設定項目の初期設定の表示情報を生成する。
【０１３３】次に，表示制御部１０８は，出力先切り換え部１０３からの切り換え指示に従い，表示情報構成部１０６からの表示情報を表示情報保存部１０７に受け取り，エラーメッセージを印刷指示操作パネルとは別のウインドウで表示し，あるいは印刷指示操作パネルのウインドウを，再構成された印刷指示操作パネルの表示画面に切り換える。
【０１３４】表示制御部１０８は，また，出力先選択部１０２からの指示により印刷出力装置名リストを別のウインドウとして表示し，指示設定操作部１１２によるユーザーによる選択操作を受けて，選択された印刷出力装置名を出力先選択部１０２に送る。
【０１３５】そして，表示制御部１０８は，表示情報保存部１０７に保存された表示情報をディスプレイ１０９に表示する。さらに，表示制御部１０８は，印刷指示操作パネルの表示画面において，例えばマウスからなる指示設定操作部１１２からの設定操作を受付け，表示情報保存部１０７の表示情報を設定に応じたものに変更して，ディスプレイ１０９の画面にその設定状態を反映させると共に，設定された印刷指示情報を設定情報保存部１１０に保存する。
【０１３６】設定情報保存部１１０は，出力先切り換え部１０３からの切り換え指示を受けたときに，保存されていた前回の設定情報を表示情報構成部１０６に渡した後クリアする。
【０１３７】デフォルト値保存部１１１は，ネットワーク上に配置されているすべての印刷出力装置の設定項目についての標準値（デフォルト値）が保存されている。この場合，このデフォルト値保存部１１１のデフォルト値は，すべての印刷出力装置に共通的に用いるもの，印刷出力装置の種類ごとに用いるもの，個々の印刷出力装置毎に用いるものなどと区分けして，ユーザーにより設定と変更が可能とされている。
【０１３８】
表示情報構成部１０６は，設定情報保存部１１０からの前回の設定情報を取得して，前回の設定値が切り換え後も有効な場合には，その前回の設定値を今回の設定値として再構成された印刷指示操作パネル中の設定情報とする。前回の設定値が有効でない場合には，設定値を変更する。例えば，前回の印刷出力装置には，ソータが付いていて，ソータが選択された設定状態になっていたが，今回の印刷出力装置にはソータが付いていない場合には，ソータの設定値は，「使用しない」を設定する。
【０１３９】
また，表示情報構成部１０６は，再構成した印刷指示操作パネルに，前回の印刷指示操作パネルにはない設定項目など，未設定の設定項目があるときには，デフォルト値保存部１１１からのデフォルト値をその設定項目の設定情報として，表示情報に含める。
【０１４０】そして，決定した初期設定情報を設定情報保存部１１０に送り，その初期設定情報を保存する。
【０１４１】ここで，前述したように，印刷指示操作パネルに表示される表示情報は，選択された印刷出力装置の装備機能や状態に対応する情報であるので，設定情報保存部１１０に保存される設定情報のすべてが印刷指示操作パネルに表示される表示情報として表されるわけではない。例えば，前述したソータなどのオプションが，選択された印刷出力装置に存在しない場合には，これらの選択ボタン表示は操作パネルには存在しないあるいはシェード表示され，設定不可とされるのは前述した通りである。このように，装備しない機能などを，操作パネルに表示しないことにより，ユーザーによる誤設定入力を不可とすることができる。
【０１４２】こうして，新たに選択された印刷出力装置に対する印刷指示操作パネルを再構成するときに，前回と同じ印刷指示設定項目については，前回の設定情報をそのまま使用できるので，非常に便利である。また，前になかった印刷指示設定項目については，予め用意されているデフォルト値（標準値）が設定情報として自動的に設定されるので，この点でも使い勝手がよい。
【０１４３】印刷指示操作パネルで設定情報を変更する場合には，指示設定操作部１１２による設定操作により，その設定情報の変更が可能である。変更された設定情報については，設定情報保存部１１０の対応する情報が，その変更された設定情報に書き替えられる。
【０１４４】以上のようにして表示制御部１０８を通じて設定された印刷指示設定情報は，設定情報保存部１１０に保存される。そして，指示設定操作部１１２による印刷ジョブの発行要求の操作入力があると，設定情報保存部１１０は，表示制御部１０８からのその発行要求指示を受けて，保存している設定情報から印刷指示情報を生成し，ジョブ発行部１２３に渡す。
【０１４５】プリンタドライバ１２１は，出力先切り換え部１０３からの選択された印刷出力装置名を伴う切り換え指示により，動作中のアプリケーションプログラム１２０に印刷出力装置の切り換え通知メッセージを発行する。また，プリンタドライバ１２１は，アプリケーションプログラム１２０からの指示に基づき，アプリケーションプログラム１２０から印刷処理データを受け取り，選択された印刷出力装置に対応して印刷データ（例えばポストスクリプトなどのページ記述言語）を生成し，印刷データ保存部１２２に渡す。また，プリンタドライバ１２１は，印刷データの生成に必要な，例えば出力解像度などの情報は，装備機能・状態解析部１０５から取得する。」
　オ　「【０１９２】［出力先選択パネルの表示］
ある印刷出力装置に対する印刷指示操作パネルが起動されている状態から，ユーザーが他の印刷出力装置に，印刷出力先を変更する場合には，まず，ディスプレイ１０９の画面において，印刷出力先の変更指示をマウス１１２で行う。
ディスプレイ１０９の画面に，例えば図３２に示すような当該印刷出力装置名リストからなる出力先選択／切り換えパネルのウインドウ表示を行う。
【０１９３】
ユーザーは，この出力先選択／切り換えパネルにおいて，マウス１１２を操作して，選択したい印刷出力装置名を指示する。
選択したい印刷出力装置名の確定指示をすると，その印刷出力装置名からなる選択情報が表示制御部１０８から出力先選択部１０２に送られる。出力先選択部１０２は，その選択指示に基づいて選択された印刷出力装置名を切り換え指示と共に，出力先切り換え部１０３に渡す。これにより，出力先の切り換えが開始されることになり，
【０１９４】すなわち，
出力先切り換え部１０３からの切り換え指示と印刷出力装置名とに基づいて，装置情報取得部１０４は，まず，装置情報管理部１０１から選択した印刷出力装置の状態情報を取得して，装備機能・状態解析部１０５に渡す（ステップＳ１）。装備機能・状態解析部１０５は，選択された印刷出力装置の状態の解析をし，使用可能かどうかを判断する（ステップＳ２）。
【０１９５】選択された印刷出力装置が，例えば故障中であったり，起動されておらずに，使用可能でない状態のときには，表示情報構成部１０６にそれを通知する。すると，表示情報構成部１０６は，例えば「使用可能でない出力先は選択できません」というメッセージの表示情報を生成し，表示制御部１０８を通じてディスプレイ１０９の画面に，そのメッセージを表示し（ステップＳ１１），この出力先の切り換え時の処理ルーチンを終了する。
【０１９６】
選択された印刷出力装置が使用可能であれば，装備機能・状態解析部１０５はその旨を装置情報取得部１０４に知らせると共に，この状態情報を後で表示用として使用するために表示情報構成部１０６に渡して一時記憶しておく。そして，装置情報取得部１０４は，選択された印刷出力装置の装置情報を装置情報管理部１０１から取得する（ステップＳ３）。
【０１９７】
装備機能・状態解析部１０５は，装置情報取得部１０４で取得した装置情報を受け取って解析し，使用できない機能項目については，使用不可の印（例えばフラグ）を付加して，表示情報構成部１０６に引き渡す（ステップＳ４）。 表示情報構成部１０６は，前述したようにして，選択された印刷出力装置の印刷指示操作パネルの表示項目を再構成する（ステップＳ５）。
【０１９８】
この印刷指示操作パネルの再構成の際に，基本機能群およびその他の機能群中において，使用できない機能の印刷指示設定項目については，前述したように，この例ではシェード表示を行ない，利用者が選択設定できないようにする。
【０１９９】また，選択された印刷出力装置が，基本機能群およびその他機能群に含まれないフィニッシング処理の機能を具備している場合には，カテゴリー表示欄３１に「フィニッシング」のカテゴリーボタンを表示するようにすると共に，図１０に示したフィニッシング処理の操作パネルを形成する。選択された印刷出力装置が，フィニッシング処理の機能を具備していない場合には，カテゴリー表示欄３１には「フィニッシング」のカテゴリーボタンを表示しないようにし，また，フィニッシング処理の操作パネルは形成しない。
【０２００】
次に，前述したように，設定情報保存部１１０の前回の設定情報を用いて使用可能な機能の印刷指示設定項目の設定情報を決定する（ステップＳ６）。次に，使用可能な機能の印刷指示設定項目について未設定の項目があるか否かを判断し（ステップＳ７），未設定の項目があれば，デフォルト値保存部１１１のデフォルト値の情報を用いて設定情報を決定する（ステップＳ８）。
【０２０１】
表示制御部１０８は，，印刷指示操作パネルの表示情報をディスプレイ１０９に表示するが，シェードされている機能の印刷指示設定項目については，設定不可と認識し，その後のユーザーの設定入力に対して設定不可の対応をする（ステップＳ９）。
【０２０２】
次に，出力先切り換え部１０３からの切り換え指示によりプリンタドライバ１２１を，選択された印刷出力装置に適合したものに変更し（ステップＳ１０），この出力先の切り換え時の処理ルーチンを終了する。
　カ　「【０２２１】以上は，印刷指示操作パネルが起動されている状態からの出力先切り換えについての説明であるが，実際的には，
ユーザーは，まず，印刷指示操作パネルを起動しなければならない。ユーザーは，印刷指示装置２００のディスプレイ１０９の画面における操作指示により，印刷指示操作パネルを起動するが，その際には，前回終了時に設定されていた印刷出力装置名を記録しているファイルにアクセスし，そのファイルから前回終了時の印刷出力装置名を獲得した上で，その印刷出力装置を最初に選択したものとして立ち上がる。
【０２２２】
また，上述の例では，設定情報保存部１１０の前回の保存情報を用いて，印刷指示操作パネルの設定項目の初期的な設定を行なうようにしたが，ユーザーが保存を希望する設定情報は，それぞれ識別ファイル名を付与して設定情報保存部１１０に保存しておき，ユーザーがその保存された過去の設定情報ファイルの中から，希望するものを選択し，その選択された設定情報により印刷指示操作パネルの各設定項目の初期的な設定を行なうようにすると，さらに，よい。この場合に，過去の設定情報の内容をウインドウ表示するなどして，ユーザーが知ることができるようにすると，便利である。
【０２２３】以上説明した印刷指示装置によれば，ユーザーは印刷出力装置名を選択するだけで利用する印刷出力装置を切り換えて，印刷出力先として指定して，印刷指示することができる。そして，利用しようとするプリンタの，その時点の装備機能を確実に把握した上で，印刷指示を行うことができる。
【０２２４】また，利用しようとした印刷出力装置に所望の機能がない場合，容易に他の印刷出力装置に切り換えられる。さらに，利用中に故障が発生した場合などにも，その時点で他の印刷出力装置へ切り換えることができる。また，印刷指示を行う前に予めプリンタの常置を確認したい場合も，容易に確認できる。
【０２２５】また，印刷出力装置が印刷処理の後処理のフィニッシング処理の機能を有しているか否かを確実に検知することができると共に，印刷出力装置がフィニッシング処理の機能を有しているときには，そのフィニッシング処理機能を遠隔位置から指定して利用することができる。また，印刷出力装置がフィニッシング処理機能を備えていない場合には，ユーザーによるフィニッシング処理の設定ができないようにしているので，誤設定を確実に防止できる。」
　キ　「【０２３５】
なお，以上の例では，印刷指示装置１００の装置情報管理部１０１は，印刷管理装置２００から，ネットワークＬＡＮ１０を通じて各印刷出力装置の識別子情報および装置情報を取得するようにしたが，オペレータが，印刷指示装置機能部の装置情報管理部に対して，これらのネットワーク上の複数個の印刷出力装置に関する上記情報を入力して登録するようにしてもよい。
　以上によれば，甲第１号証には，次の発明（以下，「甲１発明」という。）が記載されていると認められる。 
［甲１発明］
「複数の印刷出力装置３０１，３０２，３０３と通信ネットワーク経由で接続される印刷指示装置１００であって，
　装置情報管理部１０１，出力先選択部１０２，出力先切り換え部１０３，装置情報取得部１０４，装備機能・状態解析部１０５，表示情報構成部１０６，表示情報保存部１０７を含む表示制御部１０８，ディスプレイ１０９，設定情報保存部１１０，デフォルト値保存部１１１，指示設定操作部１１２，プリンタドライバ１２１，印刷データ保存部１２２，ジョブ発行部１２３，通信部１３０を備え，
　ユーザーは，まず，印刷指示操作パネルを起動し，その際には，前回終了時に設定されていた印刷出力装置名を記録しているファイルにアクセスし，そのファイルから前回終了時の印刷出力装置名を獲得した上で，その印刷出力装置を最初に選択したものとして立ち上がり，
　ある印刷出力装置に対する印刷指示操作パネルが起動されている状態から，ユーザーが他の印刷出力装置に，印刷出力先を変更する場合には，まず，ディスプレイ１０９の画面において，印刷出力先の変更指示をマウス１１２で行い，ディスプレイ１０９の画面に，印刷出力装置名リストからなる出力先選択／切り換えパネルのウインドウ表示を行い，
　ユーザーは，この出力先選択／切り換えパネルにおいて，マウス１１２を操作して，選択したい印刷出力装置名の確定指示をすると，その印刷出力装置名からなる選択情報が表示制御部１０８から出力先選択部１０２に送られ，出力先選択部１０２は，その選択指示に基づいて選択された印刷出力装置名を切り換え指示と共に，出力先切り換え部１０３に渡し，これにより，出力先の切り換えが開始されることになり，
　出力先切り換え部１０３からの切り換え指示と印刷出力装置名とに基づいて，装置情報取得部１０４は，まず，装置情報管理部１０１から選択した印刷出力装置の状態情報を取得して，装備機能・状態解析部１０５に渡し（ステップＳ１），装備機能・状態解析部１０５は，選択された印刷出力装置の状態の解析をし，使用可能かどうかを判断し（ステップＳ２），
　選択された印刷出力装置が使用可能であれば，装備機能・状態解析部１０５はその旨を装置情報取得部１０４に知らせると共に，この状態情報を後で表示用として使用するために表示情報構成部１０６に渡して一時記憶しておき，装置情報取得部１０４は，選択された印刷出力装置の装置情報を装置情報管理部１０１から取得し（ステップＳ３），
　装備機能・状態解析部１０５は，装置情報取得部１０４で取得した装置情報を受け取って解析し，使用できない機能項目については，使用不可の印（例えばフラグ）を付加して，表示情報構成部１０６に引き渡し（ステップＳ４），表示情報構成部１０６は，選択された印刷出力装置の印刷指示操作パネルの表示項目を再構成し（ステップＳ５），
　この印刷指示操作パネルの再構成の際に，基本機能群およびその他の機能群中において，使用できない機能の印刷指示設定項目については，シェード表示などを行ない，利用者が選択設定できないようにし，
　次に，設定情報保存部１１０の前回の設定情報を用いて使用可能な機能の印刷指示設定項目の設定情報を決定し（ステップＳ６），次に，使用可能な機能の印刷指示設定項目について未設定の項目があるか否かを判断し（ステップＳ７），未設定の項目があれば，デフォルト値保存部１１１のデフォルト値の情報を用いて設定情報を決定し（ステップＳ８），
　表示制御部１０８は，印刷指示操作パネルの表示情報をディスプレイ１０９に表示するが，シェードされている機能の印刷指示設定項目については，設定不可と認識し，その後のユーザーの設定入力に対して設定不可の対応をし（ステップＳ９），
　次に，出力先切り換え部１０３からの切り換え指示によりプリンタドライバ１２１を，選択された印刷出力装置に適合したものに変更し（ステップＳ１０），出力先の切り換え時の処理ルーチンを終了し，
　また，上述の例では，設定情報保存部１１０の前回の保存情報を用いて，印刷指示操作パネルの設定項目の初期的な設定を行なうようにしたが，ユーザーが保存を希望する設定情報は，それぞれ識別ファイル名を付与して設定情報保存部１１０に保存しておき，ユーザーがその保存された過去の設定情報ファイルの中から，希望するものを選択し，その選択された設定情報により印刷指示操作パネルの各設定項目の初期的な設定を行なうようにするとさらによく，この場合に，過去の設定情報の内容をウインドウ表示するなどして，ユーザーが知ることができるようにすると便利であり，
　印刷指示操作パネルは，複数の印刷出力装置に共通にするために，印刷出力装置の機能数に関係なく，一定の大きさを保つように，この印刷指示操作パネルを複数枚に分割して表示する構成とし，例えば，複数枚に分割した印刷指示操作パネルのそれぞれを，「基本」「その他」「一覧」「フィニッシング」のようにカテゴリーにより分類し，「基本」「その他」「一覧」「フィニッシング」のカテゴリーを選択するためのカテゴリーボタンが表示され，一つのボタンをマウス等で指定すると，表示制御部１０７は，そのカテゴリーの印刷指示操作パネルをウインドウ表示するものであり，
　基本機能群の操作パネルにおいて，表示される機能は，例えば，・部数指定 ・両面／片面指定 ・綴じ方向指定 ・綴じ代位置指定 ・綴じ代量指定 ・用紙サイズ指定 ・拡大縮小率指定 ・丁合する／しない ・排紙トレイ指定 ・オフセットスタック指定ならびに指定単位とされており，
　オペレータが，装置情報管理部１０１に対して，ネットワーク上の複数個の印刷出力装置の識別子情報および装置情報を入力して登録するようにしてもよい，
　印刷指示装置１００。」
　また，上記甲１発明の印刷指示装置の動作は情報処理方法として捉えることができるから，甲第１号証には，次の発明（以下，「甲１方法発明」という。）も記載されていると認められる。
［甲１方法発明］
「複数の印刷出力装置３０１，３０２，３０３と通信ネットワーク経由で接続される印刷指示装置１００の情報処理方法であって，
　印刷指示装置１００は，装置情報管理部１０１，出力先選択部１０２，出力先切り換え部１０３，装置情報取得部１０４，装備機能・状態解析部１０５，表示情報構成部１０６，表示情報保存部１０７を含む表示制御部１０８，ディスプレイ１０９，設定情報保存部１１０，デフォルト値保存部１１１，指示設定操作部１１２，プリンタドライバ１２１，印刷データ保存部１２２，ジョブ発行部１２３，通信部１３０を備え，
　ユーザーは，まず，印刷指示操作パネルを起動し，その際には，前回終了時に設定されていた印刷出力装置名を記録しているファイルにアクセスし，そのファイルから前回終了時の印刷出力装置名を獲得した上で，その印刷出力装置を最初に選択したものとして立ち上がり，
　ある印刷出力装置に対する印刷指示操作パネルが起動されている状態から，ユーザーが他の印刷出力装置に，印刷出力先を変更する場合には，まず，ディスプレイ１０９の画面において，印刷出力先の変更指示をマウス１１２で行い，ディスプレイ１０９の画面に，印刷出力装置名リストからなる出力先選択／切り換えパネルのウインドウ表示を行い，
　ユーザーは，この出力先選択／切り換えパネルにおいて，マウス１１２を操作して，選択したい印刷出力装置名の確定指示をすると，その印刷出力装置名からなる選択情報が表示制御部１０８から出力先選択部１０２に送られ，出力先選択部１０２は，その選択指示に基づいて選択された印刷出力装置名を切り換え指示と共に，出力先切り換え部１０３に渡し，これにより，出力先の切り換えが開始されることになり，
　出力先切り換え部１０３からの切り換え指示と印刷出力装置名とに基づいて，装置情報取得部１０４は，まず，装置情報管理部１０１から選択した印刷出力装置の状態情報を取得して，装備機能・状態解析部１０５に渡し（ステップＳ１），装備機能・状態解析部１０５は，選択された印刷出力装置の状態の解析をし，使用可能かどうかを判断し（ステップＳ２），
　選択された印刷出力装置が使用可能であれば，装備機能・状態解析部１０５はその旨を装置情報取得部１０４に知らせると共に，この状態情報を後で表示用として使用するために表示情報構成部１０６に渡して一時記憶しておき，装置情報取得部１０４は，選択された印刷出力装置の装置情報を装置情報管理部１０１から取得し（ステップＳ３），
　装備機能・状態解析部１０５は，装置情報取得部１０４で取得した装置情報を受け取って解析し，使用できない機能項目については，使用不可の印（例えばフラグ）を付加して，表示情報構成部１０６に引き渡し（ステップＳ４），表示情報構成部１０６は，選択された印刷出力装置の印刷指示操作パネルの表示項目を再構成し（ステップＳ５），
　この印刷指示操作パネルの再構成の際に，基本機能群およびその他の機能群中において，使用できない機能の印刷指示設定項目については，シェード表示などを行ない，利用者が選択設定できないようにし，
　次に，設定情報保存部１１０の前回の設定情報を用いて使用可能な機能の印刷指示設定項目の設定情報を決定し（ステップＳ６），次に，使用可能な機能の印刷指示設定項目について未設定の項目があるか否かを判断し（ステップＳ７），未設定の項目があれば，デフォルト値保存部１１１のデフォルト値の情報を用いて設定情報を決定し（ステップＳ８），
　表示制御部１０８は，印刷指示操作パネルの表示情報をディスプレイ１０９に表示するが，シェードされている機能の印刷指示設定項目については，設定不可と認識し，その後のユーザーの設定入力に対して設定不可の対応をし（ステップＳ９），
　次に，出力先切り換え部１０３からの切り換え指示によりプリンタドライバ１２１を，選択された印刷出力装置に適合したものに変更し（ステップＳ１０），出力先の切り換え時の処理ルーチンを終了し，
　また，上述の例では，設定情報保存部１１０の前回の保存情報を用いて，印刷指示操作パネルの設定項目の初期的な設定を行なうようにしたが，ユーザーが保存を希望する設定情報は，それぞれ識別ファイル名を付与して設定情報保存部１１０に保存しておき，ユーザーがその保存された過去の設定情報ファイルの中から，希望するものを選択し，その選択された設定情報により印刷指示操作パネルの各設定項目の初期的な設定を行なうようにするとさらによく，この場合に，過去の設定情報の内容をウインドウ表示するなどして，ユーザーが知ることができるようにすると便利であり，
　印刷指示操作パネルは，複数の印刷出力装置に共通にするために，印刷出力装置の機能数に関係なく，一定の大きさを保つように，この印刷指示操作パネルを複数枚に分割して表示する構成とし，例えば，複数枚に分割した印刷指示操作パネルのそれぞれを，「基本」「その他」「一覧」「フィニッシング」のようにカテゴリーにより分類し，「基本」「その他」「一覧」「フィニッシング」のカテゴリーを選択するためのカテゴリーボタンが表示され，一つのボタンをマウス等で指定すると，表示制御部１０７は，そのカテゴリーの印刷指示操作パネルをウインドウ表示するものであり，
　基本機能群の操作パネルにおいて，表示される機能は，例えば，・部数指定 ・両面／片面指定 ・綴じ方向指定 ・綴じ代位置指定 ・綴じ代量指定 ・用紙サイズ指定 ・拡大縮小率指定 ・丁合する／しない ・排紙トレイ指定 ・オフセットスタック指定ならびに指定単位とされており，
　オペレータが，装置情報管理部１０１に対して，ネットワーク上の複数個の印刷出力装置の識別子情報および装置情報を入力して登録するようにしてもよい，
　印刷指示装置１００の情報処理方法。」
　さらに，上記甲１方法発明の情報処理方法は，コンピュータのプログラムにより実行されるものであり，該プログラムは記憶媒体に記憶されるものであることは明らかであるから，甲第１号証には，次の発明（以下，「甲１媒体発明」という。）も記載されていると認められる。
［甲１媒体発明］
「複数の印刷出力装置３０１，３０２，３０３と通信ネットワーク経由で接続される印刷指示装置１００の情報処理方法をコンピュータに実行させるためのプログラムを記憶した記憶媒体であって，
　印刷指示装置１００は，装置情報管理部１０１，出力先選択部１０２，出力先切り換え部１０３，装置情報取得部１０４，装備機能・状態解析部１０５，表示情報構成部１０６，表示情報保存部１０７を含む表示制御部１０８，ディスプレイ１０９，設定情報保存部１１０，デフォルト値保存部１１１，指示設定操作部１１２，プリンタドライバ１２１，印刷データ保存部１２２，ジョブ発行部１２３，通信部１３０を備え，
　ユーザーは，まず，印刷指示操作パネルを起動し，その際には，前回終了時に設定されていた印刷出力装置名を記録しているファイルにアクセスし，そのファイルから前回終了時の印刷出力装置名を獲得した上で，その印刷出力装置を最初に選択したものとして立ち上がり，
　ある印刷出力装置に対する印刷指示操作パネルが起動されている状態から，ユーザーが他の印刷出力装置に，印刷出力先を変更する場合には，まず，ディスプレイ１０９の画面において，印刷出力先の変更指示をマウス１１２で行い，ディスプレイ１０９の画面に，印刷出力装置名リストからなる出力先選択／切り換えパネルのウインドウ表示を行い，
　ユーザーは，この出力先選択／切り換えパネルにおいて，マウス１１２を操作して，選択したい印刷出力装置名の確定指示をすると，その印刷出力装置名からなる選択情報が表示制御部１０８から出力先選択部１０２に送られ，出力先選択部１０２は，その選択指示に基づいて選択された印刷出力装置名を切り換え指示と共に，出力先切り換え部１０３に渡し，これにより，出力先の切り換えが開始されることになり，
　出力先切り換え部１０３からの切り換え指示と印刷出力装置名とに基づいて，装置情報取得部１０４は，まず，装置情報管理部１０１から選択した印刷出力装置の状態情報を取得して，装備機能・状態解析部１０５に渡し（ステップＳ１），装備機能・状態解析部１０５は，選択された印刷出力装置の状態の解析をし，使用可能かどうかを判断し（ステップＳ２），
　選択された印刷出力装置が使用可能であれば，装備機能・状態解析部１０５はその旨を装置情報取得部１０４に知らせると共に，この状態情報を後で表示用として使用するために表示情報構成部１０６に渡して一時記憶しておき，装置情報取得部１０４は，選択された印刷出力装置の装置情報を装置情報管理部１０１から取得し（ステップＳ３），
　装備機能・状態解析部１０５は，装置情報取得部１０４で取得した装置情報を受け取って解析し，使用できない機能項目については，使用不可の印（例えばフラグ）を付加して，表示情報構成部１０６に引き渡し（ステップＳ４），表示情報構成部１０６は，選択された印刷出力装置の印刷指示操作パネルの表示項目を再構成し（ステップＳ５），
　この印刷指示操作パネルの再構成の際に，基本機能群およびその他の機能群中において，使用できない機能の印刷指示設定項目については，シェード表示などを行ない，利用者が選択設定できないようにし，
　次に，設定情報保存部１１０の前回の設定情報を用いて使用可能な機能の印刷指示設定項目の設定情報を決定し（ステップＳ６），次に，使用可能な機能の印刷指示設定項目について未設定の項目があるか否かを判断し（ステップＳ７），未設定の項目があれば，デフォルト値保存部１１１のデフォルト値の情報を用いて設定情報を決定し（ステップＳ８），
　表示制御部１０８は，印刷指示操作パネルの表示情報をディスプレイ１０９に表示するが，シェードされている機能の印刷指示設定項目については，設定不可と認識し，その後のユーザーの設定入力に対して設定不可の対応をし（ステップＳ９），
　次に，出力先切り換え部１０３からの切り換え指示によりプリンタドライバ１２１を，選択された印刷出力装置に適合したものに変更し（ステップＳ１０），出力先の切り換え時の処理ルーチンを終了し，
　また，上述の例では，設定情報保存部１１０の前回の保存情報を用いて，印刷指示操作パネルの設定項目の初期的な設定を行なうようにしたが，ユーザーが保存を希望する設定情報は，それぞれ識別ファイル名を付与して設定情報保存部１１０に保存しておき，ユーザーがその保存された過去の設定情報ファイルの中から，希望するものを選択し，その選択された設定情報により印刷指示操作パネルの各設定項目の初期的な設定を行なうようにするとさらによく，この場合に，過去の設定情報の内容をウインドウ表示するなどして，ユーザーが知ることができるようにすると便利であり，
　印刷指示操作パネルは，複数の印刷出力装置に共通にするために，印刷出力装置の機能数に関係なく，一定の大きさを保つように，この印刷指示操作パネルを複数枚に分割して表示する構成とし，例えば，複数枚に分割した印刷指示操作パネルのそれぞれを，「基本」「その他」「一覧」「フィニッシング」のようにカテゴリーにより分類し，「基本」「その他」「一覧」「フィニッシング」のカテゴリーを選択するためのカテゴリーボタンが表示され，一つのボタンをマウス等で指定すると，表示制御部１０７は，そのカテゴリーの印刷指示操作パネルをウインドウ表示するものであり，
　基本機能群の操作パネルにおいて，表示される機能は，例えば，・部数指定 ・両面／片面指定 ・綴じ方向指定 ・綴じ代位置指定 ・綴じ代量指定 ・用紙サイズ指定 ・拡大縮小率指定 ・丁合する／しない ・排紙トレイ指定 ・オフセットスタック指定ならびに指定単位とされており，
　オペレータが，装置情報管理部１０１に対して，ネットワーク上の複数個の印刷出力装置の識別子情報および装置情報を入力して登録するようにしてもよい，
　印刷指示装置１００の情報処理方法をコンピュータに実行させるためのプログラムを記憶した記憶媒体。」
（２）　対比・判断
　ア　本件発明１について
（ア）　本件発明１と甲１発明との対比
　ａ　甲１発明の「複数の印刷出力装置３０１，３０２，３０３と通信ネットワーク経由で接続される印刷指示装置１００」は，「印刷装置とネットワーク経由で接続される情報処理装置」といえ，本件発明１と甲１発明は，「印刷装置とネットワーク経由で接続される情報処理装置」である点で一致する。
　ｂ　甲１発明は，「ある印刷出力装置に対する印刷指示操作パネルが起動されている状態から，ユーザーが他の印刷出力装置に，印刷出力先を変更する場合には，・・・マウス１１２を操作して，選択したい印刷出力装置名の確定指示をすると，・・・選択された印刷出力装置の印刷指示操作パネルの表示項目を再構成し，・・・この印刷指示操作パネルの再構成の際に，・・・設定情報保存部１１０の前回の設定情報を用いて使用可能な機能の印刷指示設定項目の設定情報を決定」するものであって，「また，上述の例では，設定情報保存部１１０の前回の保存情報を用いて，印刷指示操作パネルの設定項目の初期的な設定を行なうようにしたが，ユーザーが保存を希望する設定情報は，それぞれ識別ファイル名を付与して設定情報保存部１１０に保存しておき，ユーザーがその保存された過去の設定情報ファイルの中から，希望するものを選択し，その選択された設定情報により印刷指示操作パネルの各設定項目の初期的な設定を行なうようにするとさらによく，この場合に，過去の設定情報の内容をウインドウ表示するなどして，ユーザーが知ることができるようにすると便利であ」るものであるから，保存された過去の設定情報ファイルの中から，希望するものを選択して読み出す読み出し手段を有することは明らかであり，また，該設定情報ファイルは，印刷指示操作パネルの各設定項目の初期的な設定を行なうためのものであるから，印刷に関わる複数の設定内容を一括して設定するための複合設定といえる。
　したがって，甲１発明は，本件発明１の「印刷に関わる複数の設定内容を一括して変更するための複合設定をメモリから読み出す読み出し手段」と，「印刷に関わる複数の設定内容を一括して設定するための複合設定をメモリから読み出す読み出し手段」といえる点では共通する手段を有しているといえる。
　しかしながら，「一括して設定するための複合設定」が，本件発明１では，「一括して変更するための複合設定」であるのに対し，甲１発明では，印刷指示操作パネルの各設定項目の初期的な設定を行なうものであり，「一括して変更するための複合設定」であるといえるか否かは明らかでない点で，両者は相違する。
　ｃ　甲１発明は，「印刷指示操作パネルの再構成の際に，基本機能群およびその他の機能群中において，使用できない機能の印刷指示設定項目については，シェード表示などを行ない，利用者が選択設定できないようにし，次に，設定情報保存部１１０の前回の設定情報を用いて使用可能な機能の印刷指示設定項目の設定情報を決定」するものであり，前回の設定情報を用いて使用可能ではない機能の設定項目は設定しないもの，例えば，甲第１号証の段落【０１３８】（上記（１）エ）の記載によれば，前回の印刷出力装置には，ソータが付いていて，ソータが選択された設定状態になっていたが，今回の印刷出力装置にはソータが付いていない場合には，ソータの設定値は，「使用しない」を設定するものであり，また，該設定により再構成された印刷指示操作パネルが表示されるから，甲１発明は，本件発明１の「印刷装置に装着されるオプションの情報を基に，読みだされた複合設定に対応する設定内容で印刷を実行することが可能であるか否かを確認する確認手段」と，「読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段」に相当する発明特定事項を有するといえる。
　したがって，本件発明１と甲１発明とは，「印刷装置に装着されるオプションの情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，を有する」点で一致する。
　以上，ａないしｃによれば，本件発明１と甲１発明の一致点及び相違点は次のとおりである。
［一致点］
　印刷装置とネットワーク経由で接続される情報処理装置であって，
　印刷に関わる複数の設定内容を一括して設定するための複合設定をメモリから読み出す読み出し手段と，
　印刷装置に装着されるオプションの情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，を有する情報処理装置。
［相違点］
［相違点１−１］
　本件発明１は，「印刷に関わる複数の設定内容を一括して変更するための複合設定をメモリから読み出す読み出し手段」を有するのに対し，甲１発明は，「印刷に関わる複数の設定内容を一括して設定するための複合設定をメモリから読み出す読み出し手段」を有するとはいえるものの，該複合設定が，「一括して変更するための複合設定」であるといえるか否かは明らかではない点。
［相違点１−２］
　本件発明１は，「前記表示制御手段は，現在の設定内容が表示されている印刷設定画面に，複合設定の複数の選択候補を表示可能であり，
　ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行う」ものであるのに対し，甲１発明は，そのようなものではない点。
（イ）　判断
　まず，上記［相違点１−１］について検討する。
　甲１発明は，「設定情報保存部１１０の前回の設定情報を用いて使用可能な機能の印刷指示設定項目の設定情報を決定し（ステップＳ６）」，「また，上述の例では，設定情報保存部１１０の前回の保存情報を用いて，印刷指示操作パネルの設定項目の初期的な設定を行なうようにしたが，ユーザーが保存を希望する設定情報は，それぞれ識別ファイル名を付与して設定情報保存部１１０に保存しておき，ユーザーがその保存された過去の設定情報ファイルの中から，希望するものを選択し，その選択された設定情報により印刷指示操作パネルの各設定項目の初期的な設定を行なうようにするとさらによ」いものであるから，甲１発明は，保存された過去の設定情報ファイルの中から選択した設定情報により印刷指示操作パネルの各設定項目の初期的な設定を行なうようにする態様も含んでいる。ここで，選択される過去の設定情報ファイルは，「複合設定の複数の選択候補」といえる。
　このような印刷の設定において，複数の選択候補の中から１つを選択して設定をする場合，一旦，１つの候補を選択設定した後にその設定を変更したいという状況は普通に想定し得ることであり（例えば，用紙サイズ等を誤って設定してしまった場合など），逆に，一旦，選択設定をすると，その後は変更ができないようにするのは自然ではなく想定しにくい。
　上記した「複合設定の複数の選択候補」から選択設定をする場合にも同様のことがいえるから，甲１発明において，保存された過去の設定情報ファイルの中から選択した設定情報により印刷指示操作パネルの各設定項目の初期的な設定を行なうようにする場合に，一旦，選択して設定した後にその設定を変更したいという状況で，再度，複数の選択候補から選択して設定を変更できるようにすること，すなわち，複合設定を「一括して変更するための複合設定」とすることは，当業者が容易に想到し得ることである。
　次に，上記［相違点１−２］ついて検討する。
　［相違点１−１］についての検討で述べたように，複合設定を「一括して変更するための複合設定」とした場合，設定を変更しようとして過去の設定情報ファイルの中から設定情報を選択するときには，すでに，表示制御手段が，一旦，設定した設定内容を印刷設定画面に表示させているので，このことは，本件発明１の「前記表示制御手段は，現在の設定内容が表示されている印刷設定画面に，複合設定の複数の選択候補を表示可能であ」ることに相当する。
　また，設定を変更しようとして過去の設定情報ファイルの中から設定情報を選択して設定するときには，一旦，設定したときに行った「読み出し」，「確認」，「表示」と同様のことを行うのは明らかであり，このことは，本件発明１の「ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行う」ることに相当する。
　したがって，［相違点１−１］についての検討で述べたように，複合設定を「一括して変更するための複合設定」とすると，その結果，［相違点１−２］に係る本件発明１の発明特定事項に至ることとなる。
　よって，本件発明１は，甲１発明に基づいて当業者が容易に発明をすることができたものである。
イ　本件発明２について
（ア）　本件発明２と甲１発明との対比
　ａ　甲１発明の「オペレータが，装置情報管理部１０１に対して，ネットワーク上の複数個の印刷出力装置の識別子情報および装置情報を入力して登録する」手段は，本件発明２の「ユーザによるマニュアル設定を受け付けて前記登録オプション情報を更新する第２の更新手段」に相当し，この点で両者は一致する。
　ｂ　甲１発明において，「印刷指示操作パネルは，・・・例えば，複数枚に分割した印刷指示操作パネルのそれぞれを，「基本」「その他」「一覧」「フィニッシング」のようにカテゴリーにより分類し，「基本」「その他」「一覧」「フィニッシング」のカテゴリーを選択するためのカテゴリーボタンが表示され，一つのボタンをマウス等で指定すると，表示制御部１０７は，そのカテゴリーの印刷指示操作パネルをウインドウ表示するもの」であり，印刷指示操作パネルがプリンタドライバを操作するためのものであるのは明らかであるから，甲１発明の上記印刷指示操作パネルの設定は，本件発明２の「プリンタドライバを操作するための印刷設定画面に表示される複数の設定シートで設定された前記設定内容を組み合わせた設定である」「複合設定」に相当し，本件発明２と甲１発明は，「前記複合設定とは，プリンタドライバを操作するための印刷設定画面に表示される複数の設定シートで設定された前記設定内容を組み合わせた設定である」点で一致する。
　ｃ　その他の点は上記ア（ア）と同様に対比でき，本件発明２と甲１発明とは，上記［相違点１−１］及び［相違点１−２］と同様の相違点があり，さらに，本件発明２は，「ユーザによる取得指示に応じて，印刷装置とのネットワークを介した通信によって当該印刷装置に実際に装着されているオプションの情報を取得して前記登録オプション情報を更新する第１の更新手段」を有するのに対し，甲１発明は，そのような手段を有していない点で両者は相違する。
　以上，ａないしｃによれば，本件発明２と甲１発明の一致点，相違点は次のとおりである。
［一致点］
　印刷装置とネットワーク経由で接続される情報処理装置であって，
　印刷に関わる複数の設定内容を一括して設定するための複合設定をメモリから読み出す読み出し手段と，
　印刷装置に装着されるオプションの情報である登録オプション情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，
　ユーザによるマニュアル設定を受け付けて前記登録オプション情報を更新する第２の更新手段と，を有し，
　前記複合設定とは，プリンタドライバを操作するための印刷設定画面に表示される複数の設定シートで設定された前記設定内容を組み合わせた設定であることを特徴とする情報処理装置。
［相違点］
［相違点１−１］
　本件発明２は，「印刷に関わる複数の設定内容を一括して変更するための複合設定をメモリから読み出す読み出し手段」を有するのに対し，甲１発明は，「印刷に関わる複数の設定内容を一括して設定するための複合設定をメモリから読み出す読み出し手段」を有するとはいえるものの，該複合設定が，「一括して変更するための複合設定」であるといえるか否かは明らかではない点。
［相違点１−２］
　本件発明２は，「前記表示制御手段は，現在の設定内容が表示されている印刷設定画面に，複合設定の複数の選択候補を表示可能であり，
　ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行」うものであるのに対し，甲１発明は，そのようなものではない点。
［相違点２−１］
　本件発明２は，「ユーザによる取得指示に応じて，印刷装置とのネットワークを介した通信によって当該印刷装置に実際に装着されているオプションの情報を取得して前記登録オプション情報を更新する第１の更新手段」を有するのに対し，甲１発明は，そのような手段を有していない点。
（イ）　判断
　［相違点１−１］及び［相違点１−２］は，上記アで述べた［相違点１−１］及び［相違点１−２］と同じであり，同様の判断により，甲１発明において，［相違点１−１］及び［相違点１−２］に係る発明特定事項とすることは当業者が容易に想到し得ることである。
　［相違点２−１］について検討する。
　甲第１号証の【００８８】，【００９２】及び【００９３】には，以下のように記載されている（上記（１）ウ及びエ）。
「【００８８】装置情報提供部２０２は，・・・印刷出力装置３０１，３０２，３０３からオプション情報・・・を取得し，印刷指示装置１００からの要求によりこれらの情報を含む装置情報を印刷指示装置１００に提供する。」
「【００９２】装置情報管理部１０１は，前述したように，・・・装置情報提供部２０２とから，通信部１３０を通じて・・・装置情報を取得して管理する。・・・
【００９３】前記情報を取得するために，印刷指示装置１００から印刷管理装置２００に対して要求を出す契機は，印刷指示装置１００の実行開始時，ユーザーが指示したとき，あるいは一定時間間隔ごとである。・・・」
　これらの記載によれば，甲第１号証に記載された印刷指示装置１００は，ユーザーが指示したとき，装置情報提供部２０２から，通信部１３０を通じて，印刷出力装置３０１，３０２，３０３のオプション情報を取得して装置情報管理部１０１で管理する手段を有する。
　該装置情報提供部２０２からのオプション情報は，印刷出力装置３０１，３０２，３０３から取得したものであるから，甲第１号証に記載された印刷指示装置１００は，ユーザーが指示したとき，直接ではないが，間接的には，印刷出力装置３０１，３０２，３０３から，通信部１３０を通じて，印刷出力装置３０１，３０２，３０３のオプション情報を取得して装置情報管理部１０１で管理する手段を有するといえる。
　この手段は，本件発明２の「ユーザによる取得指示に応じて，印刷装置とのネットワークを介した通信によって当該印刷装置に実際に装着されているオプションの情報を取得して前記登録オプション情報を更新する第１の更新手段」と，「ユーザによる取得指示に応じて，ネットワークを介した通信によって印刷装置に実際に装着されているオプションの情報を取得して前記登録オプション情報を更新する第１の更新手段」といえる点では共通する。
　直接接続された印刷装置とのネットワークを介した通信によって当該印刷装置に実際に装着されているオプションの情報を取得することは，例えば，甲第１０号証〜甲第１２号証に記載されているように普通に行われていることであり，甲第１号証に記載された印刷指示装置１００においても，ＬＡＮを介して直接接続された印刷出力装置３０３が存在するから，甲１発明において，直接接続された印刷装置とのネットワークを介した通信によって情報を取得して，「ユーザによる取得指示に応じて，印刷装置とのネットワークを介した通信によって当該印刷装置に実際に装着されているオプションの情報を取得して前記登録オプション情報を更新する第１の更新手段」を有するようにすることは当業者が容易に想到し得ることである。
　したがって，本件発明２は，甲１発明に基づいて当業者が容易に発明をすることができたものである。
　ウ　本件発明３について
（ア）　本件発明３と甲１発明との対比
　本件発明３は，本件発明１または２の情報処理装置に，「読みだされた複合設定に対応する設定内容で印刷を実行することが不可能であることが確認された場合は，読みだされた複合設定に対応する設定内容では印刷を実行することが不可能である旨，および読みだされた複合設定に対応する設定内容を別の設定内容に変更する旨が記述されたメッセージを表示する」ことを付加するものである。
　よって，本件発明３と甲１発明とを対比すると，両者の一致点は，上記ア（ア）及びイ（ア）と同じであり，両者の相違点は，上記ア（ア）及びイ（ア）と同じものに加えて次の相違点がある。
［相違点］
［相違点３−１］
　本件発明３は，「読みだされた複合設定に対応する設定内容で印刷を実行することが不可能であることが確認された場合は，読みだされた複合設定に対応する設定内容では印刷を実行することが不可能である旨，および読みだされた複合設定に対応する設定内容を別の設定内容に変更する旨が記述されたメッセージを表示する」ものであるのに対し，甲１発明は，そのような特定はされていない点。
（イ）　判断
　両者の相違点のうち，上記ア（ア）及びイ（ア）と同じものについては，上記ア（イ）及びイ（イ）と同じ判断により，甲１発明において，当該相違点に係る発明特定事項とすることは当業者が容易に想到し得ることである。
　［相違点３−１］について検討する。
　甲１発明は，「印刷指示操作パネルの再構成の際に，・・・使用できない機能の印刷指示設定項目については，シェード表示などを行ない，利用者が選択設定できないようにし，
　次に，設定情報保存部１１０の前回の設定情報を用いて使用可能な機能の印刷指示設定項目の設定情報を決定し・・・，
　表示制御部１０８は，印刷指示操作パネルの表示情報をディスプレイ１０９に表示するが，シェードされている機能の印刷指示設定項目については，設定不可と認識し，その後のユーザーの設定入力に対して設定不可の対応」をするものである。
　すなわち，甲１発明は，ユーザが設定しようとする設定情報のうち，使用できない機能の設定項目については，シェード表示をするものである。このシェード表示は，機能の設定項目が使用できない旨（本件発明３でいう「読みだされた複合設定に対応する設定内容では印刷を実行することが不可能である旨」）を示すものであり，また，このことは換言すれば，機能の設定項目を使用する設定から使用しない設定に変更する旨（本件発明３でいう「読みだされた複合設定に対応する設定内容を別の設定内容に変更する旨」）を示すともいえる。
　また，このような設定項目の使用についての表示形態として，その内容が記述されたメッセージにより表示する形態は，甲第２号証（【図２５】），甲第３号証（【図２２】，【図２７】，【図３０】及び【図３４】），甲第４号証（【図４】），甲第５号証（【図２０】），甲第６号証（【図８】，【図１０】及び【図１１】）及び甲第７号証（【００３３】）に記載されるように周知であり，このような周知のメッセージによる表示形態が甲１発明においても有用であるのは当業者に明らかである。
　したがって，甲１発明において，設定項目の使用についての表示形態として，上記周知のメッセージによる表示形態を採用すること（本件発明３でいう「読みだされた複合設定に対応する設定内容で印刷を実行することが不可能であることが確認された場合は，読みだされた複合設定に対応する設定内容では印刷を実行することが不可能である旨，および読みだされた複合設定に対応する設定内容を別の設定内容に変更する旨が記述されたメッセージを表示する」こと）は，当業者が容易に想到し得ることである。
　よって，本件発明３は，甲１発明及び周知技術に基づいて当業者が容易に発明をすることができたものである。
　エ　本件発明４について
（ア）　本件発明４と甲１発明との対比
　本件発明４は，本件発明１の情報処理装置に，「前記印刷設定画面は，プリンタドライバが提供するユーザインターフェイスである」ことを付加するものである。
　よって，本件発明４と甲１発明とを対比すると，両者の一致点は，上記ア（ア）と同じであり，両者の相違点は，上記ア（ア）と同じものに加えて次の相違点がある。
［相違点］
［相違点４−１］
　本件発明４は，「前記印刷設定画面は，プリンタドライバが提供するユーザインターフェイスである」のに対し，甲１発明は，そのような特定はされていない点。
（イ）　判断
　両者の相違点のうち，上記ア（ア）と同じものについては，上記ア（イ）と同じ判断により，甲１発明において，当該相違点に係る発明特定事項とすることは当業者が容易に想到し得ることである。
　次に，［相違点４−１］について検討する。
　まず，本件発明４でいう「プリンタドライバ」について，本件明細書等には，次のように記載されている。
「【００２０】
　図２１のホストコンピュータ２１００内の各ブロックは，図２のシステムで，ＣＰＵ１がプログラムを実行することで実現される機能をブロックで示したものである。
アプリケーション２１０１，グラフィックエンジン２１０２，プリンタドライバ２１０３，およびシステムスプーラ２１０４は，図２の外部メモリ１２に保存されたファイルとして存在し，実行される場合にＯＳやそのモジュールを利用する上位モジュールによってＲＡＭ２にロードされ実行されるプログラムモジュールである。
【００２１】
　また，アプリケーション２１０１およびプリンタドライバ２１０３は，外部メモリ１２のＦＤや不図示のＣＤ−ＲＯＭから供給されることが可能となっている。ユーザが，このアプリケーション２１０１においてプリンタ２１０５に対する印刷操作を行うと，まず，アプリケーション２１０１は，ＲＡＭ２にロードされ実行可能となっているグラフィックエンジン２１０２を利用して出力（描画）を行う。
【００２２】
　なお，グラフィックエンジン２１０２は，一般に，アプリケーションに対して，プリンタやディスプレイ等の出力デバイスに依存しない共通のグラフィック用インターフェイスを提供するものである。
【００２３】
　
グラフィックエンジン２１０２は，印刷装置ごとに用意されたプリンタドライバ２１０３を同様に外部メモリ１２からＲＡＭ２にロードし，アプリケーション２１０１の出力をプリンタドライバ２１０３を用いてプリンタの制御コマンドに変換する。このとき，ユーザは，プリンタドライバのユーザインターフェイスを用いて，プリンタに対する印刷設定を行うことができ，その設定にしたがってプリンタドライバ２１０３はプリンタの制御コマンドを生成する。
　この記載によれば，本件発明４にでいう「プリンタドライバ」とは，アプリケーションの出力（印刷データ）を，印刷しようとするプリンタの制御コマンドに変換するプログラムモジュールであり，そのユーザインターフェイスを用いて，プリンタに対する印刷設定を行うことができ，その設定にしたがってプリンタドライバ２１０３はプリンタの制御コマンドを生成するものを含んでいる。
　一方，甲第１号証には，プリンタドライバについて次のように記載されている（上記（１）イ及びエ）。
「【００７３】
この例の印刷指示装置機能部に搭載されるプリンタドライバ（ソフトウエア）は，図４０で示したものと異なり，印刷指示設定項目設定のための表示処理は不要であって，印刷データを，選択した印刷出力装置用のものに変換する印刷データ処理機能を有するだけでよい。
【００７５】・・・すなわち，
図３に示すように，印刷指示装置機能部２０は，複数の印刷出力装置の例としてのプリンタＰ１〜Ｐｎのそれぞれの印刷指示操作パネルをすべて切り換えて表示できる共通ユーザーインターフェイス部２１を備えると共に，各プリンタＰ１〜Ｐｎ用の印刷データ処理部２２ａと，共通ユーザーインターフェイス部２１で表示する事項以外で必要な一部表示処理部２２ｂとを具備するプリンタドライバ部２２とを備える。
「【０１０５】・・・さらに，
出力先切り換え部１０３は，プリンタドライバ１２１（図３のプリンタドライバ２２に対応）に対して，印刷出力装置の切り換えを指示する。
　これらの記載によれば，甲第１号証における，プリンタドライバ１２１（２２）は，印刷データを，印刷しようとするプリンタ用のデータ（制御コマンド）に変換するプログラムモジュールである。また，印刷指示操作パネルをすべて切り換えて表示できる共通ユーザーインターフェース部２１は，プリンタＰ１〜Ｐｎに対する印刷設定を行うことができるものであり，その設定にしたがってプリンタ用のデータ（制御コマンド）が生成されるといえる。
　そうすると，甲１発明の「『プリンタドライバ１２１』及び『印刷指示操作パネル』」は，本件発明４の「プリンタドライバ」と同等の機能を有するものであり，甲１発明の「印刷指示操作パネル」（本件発明４でいう「印刷設定画面」）は，本件発明４の「プリンタドライバが提供するユーザインターフェース」であるといえ，上記［相違点４−１］は，実質的な相違点ではない。
　よって，本件発明４は，甲１発明及び周知技術に基づいて当業者が容易に発明をすることができたものである。
　オ　本件発明５について
（ア）　本件発明５と甲１方法発明との対比
　本件発明５は，本件発明１の「情報処理装置」に係る発明に対応する「情報処理方法」という発明とし，さらに構成を付加して限定したものであって，本件発明５と甲１方法発明との対比は，上記ア（ア）と同様にでき，両者の一致点及び相違点は次のとおりである。
［一致点］
　印刷装置とネットワーク経由で接続される情報処理装置が実行する情報処理方法であって，
　前記情報処理装置の読み出し手段は，印刷に関わる複数の設定内容を一括して設定するための複合設定をメモリから読み出し，
　前記情報処理装置の確認手段は，印刷装置に装着されるオプションの情報を基に，読みだされた複合設定に対応する設定内容で印刷を実行することが可能であるか否かを確認し，
　前記情報処理装置の表示制御手段は，読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させることを特徴とする情報処理方法。
［相違点］
［相違点１−１’］
　本件発明５は，「前記情報処理装置の読み出し手段は，印刷に関わる複数の設定内容を一括して変更するための複合設定をメモリから読み出」すのに対し，甲１方法発明は，「前記情報処理装置の読み出し手段は，印刷に関わる複数の設定内容を一括して設定するための複合設定をメモリから読み出」すとはいえるものの，該複合設定が，「一括して変更するための複合設定」であるといえるか否かは明らかではない点。
［相違点１−２’］
　本件発明５は，「前記表示制御手段は，現在の設定内容が表示されている印刷設定画面に，複合設定の複数の選択候補を表示し，
　ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行」うのに対し，甲１方法発明は，そのようなものではない点。
［相違点５−１］
　本件発明５は，「読みだされた複合設定に対応する設定内容で印刷を実行することが不可能であることが確認された場合は，前記表示制御手段は，実行できないことを示すメッセージを表示する」のに対し，甲１方法発明は，そのようなものではない点。
（イ）　判断
　上記相違点のうち，［相違点１−１’］及び［相違点１−２’］については，上記ア（ア）で述べたものと同様の相違点であるから，上記ア（イ）と同様の判断により，甲１方法発明において，当該相違点に係る発明特定事項とすることは当業者が容易に想到し得ることである。
　［相違点５−１］について検討する。
　甲１方法発明は，「印刷指示操作パネルの再構成の際に，・・・使用できない機能の印刷指示設定項目については，シェード表示などを行ない，利用者が選択設定できないようにし，
　次に，設定情報保存部１１０の前回の設定情報を用いて使用可能な機能の印刷指示設定項目の設定情報を決定し・・・，
　表示制御部１０８は，印刷指示操作パネルの表示情報をディスプレイ１０９に表示するが，シェードされている機能の印刷指示設定項目については，設定不可と認識し，その後のユーザーの設定入力に対して設定不可の対応」をするものである。
　すなわち，甲１方法発明は，ユーザが設定しようとする設定情報のうち，使用できない機能の設定項目については，シェード表示をするものである。このシェード表示は，機能の設定項目が使用できないこと（本件発明５でいう「（読み出された複合設定に対応する設定内容で印刷を）実行できないこと」）を示すものである。
　また，このような設定項目の使用についての表示形態として，その内容が記述されたメッセージにより表示する形態は，甲第２号証（【図２５】），甲第３号証（【図２２】，【図２７】，【図３０】及び【図３４】），甲第４号証（【図４】），甲第５号証（【図２０】），甲第６号証（【図８】，【図１０】及び【図１１】）及び甲第７号証（【００３３】）に記載されるように周知であり，このような周知のメッセージによる表示形態が甲１方法発明においても有用であるのは当業者に明らかである。
　したがって，甲１方法発明において，設定項目の使用についての表示形態として，上記周知のメッセージによる表示形態を採用すること（本件発明５でいう「読みだされた複合設定に対応する設定内容で印刷を実行することが不可能であることが確認された場合は，前記表示制御手段は，実行できないことを示すメッセージを表示すること」）は，当業者が容易に想到し得ることである。
　よって，本件発明５は，甲１方法発明及び周知技術に基づいて当業者が容易に発明をすることができたものである。
　カ　本件発明６について
（ア）　本件発明６と甲１媒体発明との対比
　本件発明６は，本件発明１の「情報処理装置」に係る発明に対応する「記憶媒体」という発明とし，さらに構成を付加して限定したものであって，本件発明６と甲１媒体発明との対比は，上記ア，エ及びオと同様にでき，両者の一致点及び相違点は次のとおりである。
［一致点］
　印刷に関わる複数の設定内容を一括して設定するための複合設定をメモリから読み出す読み出しステップと，
　印刷装置に装着されるオプションの情報を基に，読みだされた複合設定に対応する設定内容で印刷を実行することが可能であるか否かを確認する確認ステップと，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御ステップと，
を，印刷装置とネットワーク経由で接続されるコンピュータに実行させるためのプログラムを記憶した記憶媒体。
［相違点］
［相違点１−１’］
　本件発明６は，「印刷に関わる複数の設定内容を一括して変更するための複合設定をメモリから読み出す読み出しステップ」を実行させるのに対し，甲１媒体発明は，「印刷に関わる複数の設定内容を一括して設定するための複合設定をメモリから読み出す読み出しステップ」を実行させるとはいえるものの，該複合設定が，「一括して変更するための複合設定」であるといえるか否かは明らかではない点。
［相違点６−１］
　本件発明６は，「ユーザによる指示に応じて，複合設定をメモリに追加する登録ステップと，
　ユーザによる指示に応じて，複合設定をメモリから削除する削除ステップと，を，印刷装置とネットワーク経由で接続されるコンピュータに実行させるためのプログラムを記憶した記憶媒体であって，
　前記登録ステップにより追加された複合設定は前記削除ステップによる削除が可能であり，前記プログラムに元から用意されている複合設定は前記削除ステップによる削除が不可能であ」るのに対し，甲１媒体発明は，そのようなものではない点。
［相違点１−２’］
　本件発明６は，「前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ」るものであるのに対し，甲１媒体発明は，そのようなものではない点。
［相違点５−１’］
　本件発明６は，「読みだされた複合設定に対応する設定内容で印刷を実行することが不可能であることが確認された場合は，前記表示制御ステップは，実行できないことを示すメッセージを表示」するのに対し，甲１媒体発明は，そのようなものではない点。
［相違点６−２］
　本件発明６では，「前記複合設定とは，プリンタドライバが提供するユーザインターフェーイスである印刷設定画面に表示される複数の設定シートで設定された前記設定内容を組み合わせた設定であり，
　前記複合設定の選択変更は，印刷設定画面に表示される複数の設定シートのいずれからも行うことができる，」ものであるのに対し，甲１媒体発明は，そのようなものではない点。
（イ）　判断
　まず，［相違点６−２］について検討する。
　この相違点のうち，本件発明６が，「前記複合設定の選択変更は，印刷設定画面に表示される複数の設定シートのいずれからも行うことができる」ものである点について，この「前記複合設定」とは，「印刷に関わる複数の設定内容を一括して変更するための複合設定」であって，「プリンタドライバが提供するユーザインターフェイスである印刷設定画面に表示される複数の設定シートで設定された前記設定内容を組み合わせた設定」を指している。甲１媒体発明は，上記［相違点１−１’］でいうように，「印刷に関わる複数の設定内容を一括して設定するための複合設定」をするものといえるものであり，甲１媒体発明において，該「一括して設定」を「一括して変更」とすることは，上記ア（イ）で述べたように，当業者が容易に想到し得るとはいえる。しかしながら，そうした上でさらに，「印刷に関わる複数の設定内容を一括して変更するための複合設定」であって，「プリンタドライバが提供するユーザインターフェイスである印刷設定画面に表示される複数の設定シートで設定された前記設定内容を組み合わせた設定」の「選択変更」を，「印刷設定画面に表示される複数の設定シートのいずれからも行うことができる」ようにすることまでもが容易に想到し得るといえる証拠はなく，単なる設計事項や周知技術であるともいえない（なお，甲第１７号証には，【図３】及び【図６】等に，「色設定」，「用紙」，「印刷対象」及び「印刷品質」等の設定項目（設定シート）と同じウィンドウに「ユーザ定義」ボタン２９が配置されている構成は記載されているが，当該ボタンが指示されたとしても，【図４】に示される「ユーザ定義パネル」が表示されるにとどまり，「印刷に関わる複数の設定内容を一括して変更するための複合設定」であって，「プリンタドライバが提供するユーザインターフェイスである印刷設定画面に表示される複数の設定シートで設定された前記設定内容を組み合わせた設定」の「選択変更」を，「印刷設定画面に表示される複数の設定シートのいずれからも行うことができる」ようにすることとは無関係である。）。
　したがって，その他の相違点について検討するまでもなく，本件発明６は，甲１媒体発明であるとも，甲１媒体発明及び周知技術に基づいて当業者が容易に発明をすることができたものであるともいえない。
　キ　本件発明７について
（ア）　本件発明７と甲１媒体発明との対比
　本件発明７と甲１媒体発明との対比は，上記カと同様にでき，両者の一致点及び相違点は次のとおりである。
［一致点］
　印刷に関わる複数の設定内容を一括して設定するための複合設定をメモリから読み出す読み出しステップと，
　印刷装置に装着されるオプションの情報を基に，読みだされた複合設定に対応する設定内容で印刷を実行することが可能であるか否かを確認する確認ステップと，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御ステップと，
を印刷装置とネットワーク経由で接続されるコンピュータに実行させるためのプログラムを記憶した記憶媒体。
［相違点］
［相違点１−１’］
　本件発明７は，「印刷に関わる複数の設定内容を一括して変更するための複合設定をメモリから読み出す読み出しステップ」を実行させるのに対し，甲１媒体発明は，「印刷に関わる複数の設定内容を一括して設定するための複合設定をメモリから読み出す読み出しステップ」を実行させるとはいえるものの，該複合設定が，「一括して変更するための複合設定」であるといえるか否かは明らかではない点。
［相違点６−１］
　本件発明７は，「ユーザによる指示に応じて，複合設定をメモリに追加する登録ステップと，
　ユーザによる指示に応じて，複合設定をメモリから削除する削除ステップと，を，印刷装置とネットワーク経由で接続されるコンピュータに実行させるためのプログラムを記憶した記憶媒体であって，
　前記登録ステップにより追加された複合設定は前記削除ステップによる削除が可能であり，前記プログラムに元から用意されている複合設定は前記削除ステップによる削除が不可能であ」るのに対し，甲１媒体発明は，そのようなものではない点。
［相違点１−２’］
　本件発明７は，「前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，選択された複合設定に関する前記読み出しステップによる読み出しと，読み出された複合設定に関する前記確認ステップによる確認と，確認の結果に対応した前記表示制御ステップによる表示とを前記コンピュータに実行させ」るのに対し，甲１媒体発明は，そのようなものではない点。
［相違点７−１］
　本件発明７は，「前記プログラムは，プリンタドライバである」のに対し，甲１媒体発明は，そうではない点。
（イ）　判断
　上記相違点のうち，［相違点１−１’］及び［相違点１−２’］については，上記ア（ア）で述べたものと同様の相違点であるから，上記ア（イ）と同様の判断により，甲１媒体発明において，当該相違点に係る発明特定事項とすることは当業者が容易に想到し得ることである。
　また，上記相違点のうち，［相違点７−１］については，上記エ（ア）で述べた［相違点４−１］と同様の相違点であるから，上記エ（イ）と同様の判断により，上記［相違点７−１］は，実質的な相違点ではない。
　次に，［相違点６−１］について検討する。
　甲１媒体発明は，「ユーザーが保存を希望する設定情報は，それぞれ識別ファイル名を付与して設定情報保存部１１０に保存しておき，ユーザーがその保存された過去の設定情報ファイルの中から，希望するものを選択し，その選択された設定情報により印刷指示操作パネルの各設定項目の初期的な設定を行なうようにするとさらによ」いものであるから，この場合には，ユーザが複数の設定情報を設定情報保存部１１０に保存し（本件発明７の「ユーザによる指示に応じて，複合設定をメモリに追加する登録ステップ」に相当），該複数の設定情報の中から希望するものを選択するものである。保存しておいてその中から選択する複数の設定情報は，後に不要になったときに削除し得ることが望ましいのは当業者に明らかであり，また，保存した印刷設定を後に削除することは普通に行われていることである（甲第８号証，甲第１３号証，甲第１４号証を参照）。さらに，削除が不可能な印刷設定を用意しておき設定に用いることも普通に行われていることである（甲第９号証，甲第１４号証を参照）から，甲１媒体発明において，ユーザが設定情報保存部１１０に保存した複数の設定情報を削除すること，削除が不可能な印刷設定を用意しておくこと（本件発明７の「ユーザによる指示に応じて，複合設定をメモリから削除する削除ステップ」，「前記登録ステップにより追加された複合設定は前記削除ステップによる削除が可能であり，前記プログラムに元から用意されている複合設定は前記削除ステップによる削除が不可能であ」ることに相当）は当業者が容易に想到し得ることであり，これらのことを採用するのを妨げる要因もない。
　したがって，本件発明７は，甲１媒体発明及び周知技術に基づいて当業者が容易に発明をすることができたものである。
　ク　本件発明８について
（ア）　本件発明８と甲１媒体発明との対比
　本件発明８と甲１媒体発明との対比は，上記カと同様にでき，両者の一致点及び相違点は次のとおりである。
［一致点］
　印刷に関わる複数の設定内容を一括して設定するための，メモリに格納された複合設定を選択する選択ステップと，
　選択された複合設定に対応する設定内容で印刷装置に印刷を実行させることが可能である場合は，選択された複合設定に対応する設定内容を印刷設定画面に表示させ，
　選択された複合設定に対応する設定内容で印刷装置に印刷を実行させることが不可能である場合は，オプションを装着せずとも印刷可能な印刷装置に装着される前記オプションを利用しない設定内容を印刷設定画面に表示させる表示制御ステップと，を，印刷装置とネットワーク経由で接続されるコンピュータに実行させるためのプログラムを記憶した記憶媒体。
［相違点］
［相違点１−１’］
　本件発明８は，「印刷に関わる複数の設定内容を一括して変更するための，メモリに格納された複合設定を選択する選択ステップ」を実行させるのに対し，甲１媒体発明は，「印刷に関わる複数の設定内容を一括して設定するための，メモリに格納された複合設定を選択する選択ステップ」を実行させるとはいえるものの，該複合設定が，「一括して変更するための」複合設定であるといえるか否かは明らかではない点。
 ［相違点１−２’］
　本件発明８は，「前記プログラムは更に，現在の設定内容が表示されている印刷設定画面に，複合設定の複数の選択候補を表示するステップを前記コンピュータに実行させ，ユーザにより前記複数の選択候補に基づく複合設定の選択変更が行われる度に，ユーザにより選択された複合設定に関する前記選択ステップによる選択と，選択された複合設定に対応する設定内容で印刷装置に印刷を実行させることが可能であるか不可能であるかに対応した前記表示制御ステップによる表示とを前記コンピュータに実行させ」るのに対し，甲１媒体発明は，そのようなものではない点。
［相違点６−２］
　本件発明８は，「前記複合設定とは，プリンタドライバが提供するユーザインターフェーイスである印刷設定画面に表示される複数の設定シートで設定された前記設定内容を組み合わせた設定であり，
　前記複合設定の選択変更は，印刷設定画面に表示される複数の設定シートのいずれからも行うことができる」のに対し，甲１媒体発明は，そのようなものではない点。
（イ）　判断
　上記相違点のうち，［相違点６−２］については，上記カ（ア）で述べたものと同じ相違点であるから，上記カ（イ）と同様の判断により，甲１媒体発明において，当該相違点に係る発明特定事項とすることは当業者が容易に想到し得ることであるとはいえない。
　したがって，その他の相違点について検討するまでもなく，本件発明８は，甲１媒体発明であるとも，甲１媒体発明及び周知技術に基づいて当業者が容易に発明をすることができたものであるともいえない。
（３）　無効理由１についてのまとめ
　以上のとおり，請求項１，２，３，４，５及び７に係る発明は，甲第１号証に記載された発明及び周知技術に基づいて当業者が容易に発明をすることができたものであるから，特許法第２９条第２項の規定により特許を受けることができないものであり，その特許は同法第１２３条第１項第２号の規定に該当し，無効とすべきである。
　また，請求項６及び８に係る発明は，甲第１号証に記載された発明であるとも，甲第１号証に記載された発明及び周知技術に基づいて当業者が容易に発明をすることができたものであるともいえないから，その特許についての無効理由１には理由がない。
　２　無効理由２について
（１）　甲第２号証の記載事項，甲２発明，甲２方法発明及び甲２媒体発明
　甲第２号証（特開平１−１４７５５９号公報）には，図面とともに次の事項が記載されている。
　ア　「３．発明の詳細な説明
「産業上の利用分野」
　本発明は
複写機，ファクシミリ装置あるいはプリンタ等の画情報の記録を行う機能をもった装置
「従来の技術」
　複写機を例にとって説明すると，近年，その機能を高度化させた製品の開発が活発に行われている。例えば原稿の複写倍率についてみると，等倍の複写だけを行う複写機の他に幾種類かの倍率を選択できるものが登場し，更に連続的に倍率を変化させることのできる複写機も登場している。現像についてみても，１種類のトナーを用いていわゆる白黒で画像の再現を行う複写機の他に，２種類以上のトナーを用いて多色記録や記録を行う色を選択することのできる複写機が登場している。原稿の取り扱いについて見てみると，原稿を自動的に取り替える装置の付いた複写機が登場したり，製本原稿の見開き２ページを原稿自体を動かさずに１ページずつ順に複写していく複写機も登場している。
　また，このような複写機では顧客の要求に応じて各種付加装置を取りつけることができるようになっているものが多い。このような付加装置の代表的なものとしては，コピーのソーティングを行うソータや，原稿の自動送りを行うＡＤＦ（原稿自動送り装置）がある。
　このように複写機に多くの機能が備えられたり多くの付加装置を選別可能になってくると，オペレータはこれら複写機本体に備えられた機能あるいは付加装置によって実現される機能を駆使することによって，要求にもっともかなったコピーを得ることができるようになる。ところが，この反面，次に同じような条件でコピーを採ろうとすると，前と同じ条件に設定するためにメモを見たり，あるいはコンソールパネル上の各種複写条件に関する指示を見ながら，細かく複写条件を設定する必要があった。このような注意深い，あるいは根気のいる作業を行うことは，事務能率に必ずしも寄与するものではない。
　そこで最近ではオペレータの行う作業との関係で複写条件を記憶させることのできる複写機が登場している。このような複写機は，例えば複写機本体に不揮発性メモリを備えており，ここに各種複写条件を記憶させるようになっている。磁気カード等の外部記憶媒体に複写条件を記憶させて，これを複写機本体に読み込ませ複写条件を設定するようにしたものも提案されている。
「発明が解決しようとする問題点」
　ところで外部記憶媒体を用いるようになると，この外部記憶媒体を他の複写機に使用して同一の複写条件を設定することが原理的に可能となる。すなわち，いつも利用していた複写機が使用中の場合には，複写条件を格納した磁気カード等を持って池の複写機にセットすることで同一の複写条件を設定してコピー作業を行うことが可能となる。しかしながら，これには両複写機が全く同一の機能を有することを前提としなければならない。すなわち，例えばソータで丁合を行うことを指示した磁気カードをソータの付いていない複写機にセットしても，ソーティングという作業は実行されない。
　このように従来の複写機では，複写条件を予め設定した場合には，この条件は全く同一の機種に適用が制限されていた。従って，たとえ各人が複写条件の設定のために外部記憶媒体を所持していても，１つの記憶媒体はそれ専用の機種にしか適用することができず，機種が多くなれば外部記憶媒体の数も多く必要としてそれらの管理が複雑となった。
　以上複写機について説明したが，ファクシミリ装置やプリンタ等の他の記録装置についても，これらの操作を単純化するために記録条件の設定を行おうとすると同様の問題がある。
　そこで本発明の目的は，異なった形式の記録装置に対しても特に不都合を生じさせず記録条件を設定することのできる記録装置を提供することにある。」（第２頁左上欄第１５行ないし第３頁左上欄第１３行）
　イ　「（６）ＩＣカードによる複写機の制御
（６−１）ＩＣカードのメモリ内容
　次の第２１図はＩＣカードの記憶領域の要部を図解したものである。この
実施例の複写機に適用されるＩＣカード１３１の記憶領域は，（イ）編集機能コード登録領域５０１，（ロ）編集座標データ登録領域５０２，（ハ）機能登録領域５０３および（ニ）機能設定領域５０４を備えている。
　ここで（イ）編集機能コード登録領域５０１とは，編集がテンキー８０だけで行われるかエディタパッド１３２を用いて行われるかをしめすエディタパッドフラグ５０１Ｆを登録する領域である。
（ロ）編集座標データ登録領域５０２には，編集結果としての各種座標データが登録されるようになっている。このような座標データはＩＣカード１３１に登録することで，他の複写機等にも共通して使用することができ，また特別の部署で使用される座標データはＩＣカード１３１に登録することで，その部署が独自に管理することができる。
（ハ）機能登録領域５０３は，複写条件としての各種機能を登録する領域である。ここにはこれらの機能の有無を示す各種フラグが登録される。これには，例えば次のようなものがある。
　（ｉ）
両面原稿フラグ５０３−１
　（ｉｉ）
両面コピーフラグ５０３−２
　（ｉｉｉ）
丁合フラグ５０３−３
　（ｉｖ）
スタックフラグ５０３−４
　（ｖ）
単色カラーフラグ５０３−５
　（ｖｉ）
右綴代フラグ５０３−６
　（ｖｉｉ）
左綴代フラグ５０３−７
　
（ニ）機能設定領域５０４は，複写条件を各種設定するための領域である。ここにはこれらの設定条件の希望内容が登録される。これには，例えば縮倍率５０４−１やコピー濃度５０４−２の他に設定枚数，用紙サイズ等がある。
（６−２）ＩＣカードによるデータ処理
　第２２図は，ＩＣカード装置にＩＣカードがセットされる場合の複写機の制御を表わしたものである。
複写機のＩＣカード装置２２にＩＣカード１３１がセットされると，これが正規のカードである場合データの読み出しが行われる（ステップ１（※審決注）原文は「ステップＸ」について「Ｘ」は丸囲みの数字である。以下，同じ。）。読み出されたデータは，後に説明する大容量転送によってメインＣＰＵ１２１側に転送される（ステップ２）。メインＣＰＵ１２１では，このデータを解読し，複写条件を設定するための各種コードやフラグをセットする（ステップ３）。この後，その複写機用に機能の設定を行ったり，要求されている機能であっても特に必要でないものについてはそれをクリアする（ステップ４）。この状態でメインＣＰＵ１２１はコピー作業を開始することができるかどうかの判別を行う（ステップ５）。例えば２色でコピー作業が要求されているのに１色の現像装置しかセットされていない場合には，コピー作業を開始することができない。そこでこのような場合には（Ｎ），液晶表示部１１２に警告表示が行われる（ステップ６）。
　これに対してオペレータは２つの方法を採ることができる。第１の方法は，複写条件自体を妥協することである。前記した例の場合には，１色のカラー記録を追加することを断念して，すべてを白黒で記録するようにコンソールパネル２８上で指定を行う。第２の方法は，液晶表示部１１２の警告に従って足りない機能を追加する。この例の場合には，複写機にカラー記録用の現像装置をセットすることによってコピー作業の開始が可能になる。
　
ステップ５でコピー作業の開始が可能になったり，元々可能な状態であれば（Ｙ），液晶表示部１１２に「コピーできます」という表示が行われる。この場合，オペレータはスタートボタン１１７を押すことで直ちにコピー作業を開始させることができる。もちろん，この状態でコンソールパネル２８にはＩＣカード１３１によってセットされた複写条件が表示されているので，オペレータはこれを適宜修正した後にスタートボタン１１７を押すことも可能である。
　ウ　「以上説明した第２３図では，所定の機能についてこれらが実現されない場合には特に警告表示も行わずにその機能をクリアすることにした。これによってオペレータは，あまり重要とみられない機能についてはこれらが実現できない場合でも，その確認作業を省略することができ，煩雑な作業から開放されると共に事務効率を向上させることができる。しかしながら，一方ではこのことは複写条件の一部が欠落したことを知らずにオペレータがコピー作業を開始させるという危険性をはらんでいる。
　第２４図は，第２２図に対する変形例としてオペレータにこのような場合何らかの注意を与えるようにした例を表わしたものである。
　この第２４図でステップ１からステップ６までの動作は第２２図と同一である
。ステップ５でコピー作業が開始できると判別された場合には，ステップ７に進んでステップ４で機能のクリアが実行されたかどうかの判別が行われる。例えば丁合モードが存在しない場合に丁合モードを使用する機能がクリアされたような場合には，Ｔ秒だけ液晶表示部１１２にクリアされた機能の表示が行われ，注意を促すためにピーという電子音が短時間出力される（ステップ８）。
　
第２５図は，この場合の液晶表示部１１２の表示内容を表わしたものである。液晶表示部１１２には，「丁合モード設定不可の状態でコピーします」という表示が行われる。この表示は例えば５秒間だけ行われる。この後，液晶表示部１１２の表示は通常の「コピーできます」という内容に変更される（ステップ９）。これに対して，ステップ７で機能のクリアが実行されなかったと判別された場合には（Ｎ），液晶表示部１１２には直ちに「コピーできます」という表示が行われることになる（ステップ９）。
　エ　「以上説明した
実施例ではＩＣカードを用いた複写機について説明したが，
記録装置は複写機に限らずファクシミリ装置やプリンタ等の他の画像処理装置であってもよい
　以上によれば，甲第２号証には，次の発明（以下，「甲２発明」という。）が記載されていると認められる。
［甲２発明］
「複写機，ファクシミリ装置あるいはプリンタ等の画情報の記録を行う機能をもった装置であって，
　一実施例の複写機について，
　ＩＣカード１３１の記憶領域は，（イ）編集機能コード登録領域５０１，（ロ）編集座標データ登録領域５０２，（ハ）機能登録領域５０３および（ニ）機能設定領域５０４を備え，
　（ハ）機能登録領域５０３は，複写条件としての各種機能を登録する領域であり，ここにはこれらの機能の有無を示す各種フラグが登録され，これには，例えば，両面原稿フラグ５０３−１，両面コピーフラグ５０３−２，丁合フラグ５０３−３，スタックフラグ５０３−４，単色カラーフラグ５０３−５，右綴代フラグ５０３−６，左綴代フラグ５０３−７があり，
　（ニ）機能設定領域５０４は，複写条件を各種設定するための領域であり，ここにはこれらの設定条件の希望内容が登録され，これには，例えば縮倍率５０４−１やコピー濃度５０４−２の他に設定枚数，用紙サイズ等があり，
　複写機のＩＣカード装置２２にＩＣカード１３１がセットされると，これが正規のカードである場合データの読み出しが行われ（ステップ１），読み出されたデータは，後に説明する大容量転送によってメインＣＰＵ１２１側に転送され（ステップ２），メインＣＰＵ１２１では，このデータを解読し，複写条件を設定するための各種コードやフラグをセットし（ステップ３），この後，その複写機用に機能の設定を行ったり，要求されている機能であっても特に必要でないものについてはそれをクリアし（ステップ４），この状態でメインＣＰＵ１２１はコピー作業を開始することができるかどうかの判別を行い（ステップ５），例えば２色でコピー作業が要求されているのに１色の現像装置しかセットされていない場合には，コピー作業を開始することができないのでこのような場合には（Ｎ），液晶表示部１１２に警告表示が行われ（ステップ６），
　ステップ５でコピー作業の開始が可能になったり，元々可能な状態であれば（Ｙ），液晶表示部１１２に「コピーできます」という表示が行われ，この場合，オペレータはスタートボタン１１７を押すことで直ちにコピー作業を開始させることができ，この状態でコンソールパネル２８にはＩＣカード１３１によってセットされた複写条件が表示されているので，オペレータはこれを適宜修正した後にスタートボタン１１７を押すことも可能であり，
　ステップ５でコピー作業が開始できると判別された場合には，ステップ７に進んでステップ４で機能のクリアが実行されたかどうかの判別が行われ，例えば丁合モードが存在しない場合に丁合モードを使用する機能がクリアされたような場合には，Ｔ秒だけ液晶表示部１１２にクリアされた機能の表示が行われ，注意を促すためにピーという電子音が短時間出力され（ステップ８），液晶表示部１１２には，「丁合モード設定不可の状態でコピーします」という表示が行われ，この表示は例えば５秒間だけ行われ，この後，液晶表示部１１２の表示は通常の「コピーできます」という内容に変更され（ステップ９），これに対して，ステップ７で機能のクリアが実行されなかったと判別された場合には（Ｎ），液晶表示部１１２には直ちに「コピーできます」という表示が行われることになり（ステップ９），
　記録装置は複写機に限らずファクシミリ装置やプリンタ等の他の画像処理装置であってもよい，装置。」
　また，上記甲２発明の装置の動作は情報処理方法として捉えることができるから，甲第２号証には，次の発明（以下，「甲２方法発明」という。）も記載されていると認められる。
［甲２方法発明］
「複写機，ファクシミリ装置あるいはプリンタ等の画情報の記録を行う機能をもった装置の情報処理方法であって，
　一実施例の複写機について，
　ＩＣカード１３１の記憶領域は，（イ）編集機能コード登録領域５０１，（ロ）編集座標データ登録領域５０２，（ハ）機能登録領域５０３および（ニ）機能設定領域５０４を備え，
　（ハ）機能登録領域５０３は，複写条件としての各種機能を登録する領域であり，ここにはこれらの機能の有無を示す各種フラグが登録され，これには，例えば，両面原稿フラグ５０３−１，両面コピーフラグ５０３−２，丁合フラグ５０３−３，スタックフラグ５０３−４，単色カラーフラグ５０３−５，右綴代フラグ５０３−６，左綴代フラグ５０３−７があり，
　（ニ）機能設定領域５０４は，複写条件を各種設定するための領域であり，ここにはこれらの設定条件の希望内容が登録され，これには，例えば縮倍率５０４−１やコピー濃度５０４−２の他に設定枚数，用紙サイズ等があり，
　複写機のＩＣカード装置２２にＩＣカード１３１がセットされると，これが正規のカードである場合データの読み出しが行われ（ステップ１），読み出されたデータは，後に説明する大容量転送によってメインＣＰＵ１２１側に転送され（ステップ２），メインＣＰＵ１２１では，このデータを解読し，複写条件を設定するための各種コードやフラグをセットし（ステップ３），この後，その複写機用に機能の設定を行ったり，要求されている機能であっても特に必要でないものについてはそれをクリアし（ステップ４），この状態でメインＣＰＵ１２１はコピー作業を開始することができるかどうかの判別を行い（ステップ５），例えば２色でコピー作業が要求されているのに１色の現像装置しかセットされていない場合には，コピー作業を開始することができないのでこのような場合には（Ｎ），液晶表示部１１２に警告表示が行われ（ステップ６），
　ステップ５でコピー作業の開始が可能になったり，元々可能な状態であれば（Ｙ），液晶表示部１１２に「コピーできます」という表示が行われ，この場合，オペレータはスタートボタン１１７を押すことで直ちにコピー作業を開始させることができ，この状態でコンソールパネル２８にはＩＣカード１３１によってセットされた複写条件が表示されているので，オペレータはこれを適宜修正した後にスタートボタン１１７を押すことも可能であり，
　ステップ５でコピー作業が開始できると判別された場合には，ステップ７に進んでステップ４で機能のクリアが実行されたかどうかの判別が行われ，例えば丁合モードが存在しない場合に丁合モードを使用する機能がクリアされたような場合には，Ｔ秒だけ液晶表示部１１２にクリアされた機能の表示が行われ，注意を促すためにピーという電子音が短時間出力され（ステップ８），液晶表示部１１２には，「丁合モード設定不可の状態でコピーします」という表示が行われ，この表示は例えば５秒間だけ行われ，この後，液晶表示部１１２の表示は通常の「コピーできます」という内容に変更され（ステップ９），これに対して，ステップ７で機能のクリアが実行されなかったと判別された場合には（Ｎ），液晶表示部１１２には直ちに「コピーできます」という表示が行われることになり（ステップ９），
　記録装置は複写機に限らずファクシミリ装置やプリンタ等の他の画像処理装置であってもよい，装置の情報処理方法。」
　さらに，上記甲２方法発明の情報処理方法は，コンピュータのプログラムにより実行されるものであり，該プログラムは記憶媒体に記憶されるものであることは明らかであるから，甲第２号証には，次の発明（以下，「甲２媒体発明」という。）も記載されていると認められる。
［甲２媒体発明］
「複写機，ファクシミリ装置あるいはプリンタ等の画情報の記録を行う機能をもった装置の情報処理方法をコンピュータに実行させるためのプログラムを記憶した記憶媒体であって，
　一実施例の複写機について，
　ＩＣカード１３１の記憶領域は，（イ）編集機能コード登録領域５０１，（ロ）編集座標データ登録領域５０２，（ハ）機能登録領域５０３および（ニ）機能設定領域５０４を備え，
　（ハ）機能登録領域５０３は，複写条件としての各種機能を登録する領域であり，ここにはこれらの機能の有無を示す各種フラグが登録され，これには，例えば，両面原稿フラグ５０３−１，両面コピーフラグ５０３−２，丁合フラグ５０３−３，スタックフラグ５０３−４，単色カラーフラグ５０３−５，右綴代フラグ５０３−６，左綴代フラグ５０３−７があり，
　（ニ）機能設定領域５０４は，複写条件を各種設定するための領域であり，ここにはこれらの設定条件の希望内容が登録され，これには，例えば縮倍率５０４−１やコピー濃度５０４−２の他に設定枚数，用紙サイズ等があり，
　複写機のＩＣカード装置２２にＩＣカード１３１がセットされると，これが正規のカードである場合データの読み出しが行われ（ステップ１），読み出されたデータは，後に説明する大容量転送によってメインＣＰＵ１２１側に転送され（ステップ２），メインＣＰＵ１２１では，このデータを解読し，複写条件を設定するための各種コードやフラグをセットし（ステップ３），この後，その複写機用に機能の設定を行ったり，要求されている機能であっても特に必要でないものについてはそれをクリアし（ステップ４），この状態でメインＣＰＵ１２１はコピー作業を開始することができるかどうかの判別を行い（ステップ５），例えば２色でコピー作業が要求されているのに１色の現像装置しかセットされていない場合には，コピー作業を開始することができないのでこのような場合には（Ｎ），液晶表示部１１２に警告表示が行われ（ステップ６），
　ステップ５でコピー作業の開始が可能になったり，元々可能な状態であれば（Ｙ），液晶表示部１１２に「コピーできます」という表示が行われ，この場合，オペレータはスタートボタン１１７を押すことで直ちにコピー作業を開始させることができ，この状態でコンソールパネル２８にはＩＣカード１３１によってセットされた複写条件が表示されているので，オペレータはこれを適宜修正した後にスタートボタン１１７を押すことも可能であり，
　ステップ５でコピー作業が開始できると判別された場合には，ステップ７に進んでステップ４で機能のクリアが実行されたかどうかの判別が行われ，例えば丁合モードが存在しない場合に丁合モードを使用する機能がクリアされたような場合には，Ｔ秒だけ液晶表示部１１２にクリアされた機能の表示が行われ，注意を促すためにピーという電子音が短時間出力され（ステップ８），液晶表示部１１２には，「丁合モード設定不可の状態でコピーします」という表示が行われ，この表示は例えば５秒間だけ行われ，この後，液晶表示部１１２の表示は通常の「コピーできます」という内容に変更され（ステップ９），これに対して，ステップ７で機能のクリアが実行されなかったと判別された場合には（Ｎ），液晶表示部１１２には直ちに「コピーできます」という表示が行われることになり（ステップ９），
　記録装置は複写機に限らずファクシミリ装置やプリンタ等の他の画像処理装置であってもよい，装置の情報処理方法をコンピュータに実行させるためのプログラムを記憶した記憶媒体。」
（２）　対比・判断
　ア　本件発明１について
（ア）　本件発明１と甲２発明との対比
　ａ　甲２発明の「複写機，ファクシミリ装置あるいはプリンタ等の画情報の記録を行う機能をもった装置」は，「情報処理装置」といえ，本件発明１と甲２発明は，「情報処理装置」である点では共通する。
　しかしながら，本件発明１は，「印刷装置とネットワーク経由で接続される」ものであるのに対し，甲２発明は，「印刷装置とネットワーク経由で接続される」ものではない点で相違する。
　ｂ　甲２発明では，「ＩＣカード１３１の記憶領域は，（イ）編集機能コード登録領域５０１，（ロ）編集座標データ登録領域５０２，（ハ）機能登録領域５０３および（ニ）機能設定領域５０４を備え，
　（ハ）機能登録領域５０３は，複写条件としての各種機能を登録する領域であり，ここにはこれらの機能の有無を示す各種フラグが登録され，これには，例えば，両面原稿フラグ５０３−１，両面コピーフラグ５０３−２，丁合フラグ５０３−３，スタックフラグ５０３−４，単色カラーフラグ５０３−５，右綴代フラグ５０３−６，左綴代フラグ５０３−７があり，
　（ニ）機能設定領域５０４は，複写条件を各種設定するための領域であり，ここにはこれらの設定条件の希望内容がが登録され，これには，例えば縮倍率５０４−１やコピー濃度５０４−２の他に設定枚数，用紙サイズ等があり」，「複写機のＩＣカード装置２２にＩＣカード１３１がセットされると，これが正規のカードである場合データの読み出しが行われ（ステップ１）」，「複写機用に機能の設定を行」うものであり，また，そのように複写機用に機能の設定を行う時点ですでに該複写機に何らかの設定が行われている場合があるのは明らかであるから，該ＩＣカード１３１の記憶領域に記憶されている内容は，「印刷に関わる複数の設定内容を一括して変更するための複合設定」といえる。
　したがって，本件発明１と甲２発明は，「印刷に関わる複数の設定内容を一括して変更するための複合設定をメモリから読み出す読み出し手段」を有する点で一致する。
　ｃ　甲２発明は，ＩＣカード１３１から読み出されたデータにより，その複写機用に機能の設定を行ったり，要求されている機能であっても特に必要でないものについてはそれをクリアし，例えば，丁合モードが存在しない場合に丁合モードを使用する機能がクリアされ，「丁合モード設定不可の状態でコピーします」という表示が５秒間だけ行われるものであるから，甲２発明は，本件発明１の「印刷装置に装着されるオプションの情報を基に，読みだされた複合設定に対応する設定内容で印刷を実行することが可能であるか否かを確認する確認手段」に相当する発明特定事項を有するといえる。
　また，甲２発明は，コピー作業を開始させることができる状態でコンソールパネル２８にはＩＣカード１３１によってセットされた複写条件が表示されているから，「読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段」に相当する発明特定事項を有するといえる。
　したがって，本件発明１と甲２発明とは，「印刷装置に装着されるオプションの情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，を有する」点で一致する。
　以上，ａないしｃによれば，本件発明１と甲２発明の一致点及び相違点は次のとおりである。
［一致点］
　情報処理装置であって，
　印刷に関わる複数の設定内容を一括して変更するための複合設定をメモリから読み出す読み出し手段と，
　印刷装置に装着されるオプションの情報を基に，読みだされた複合設定に対応する設定内容で印刷を実行することが可能であるか否かを確認する確認手段と，
　読みだされた複合設定に対応する設定内容で印刷を実行することが可能であることが確認された場合は，読みだされた複合設定に対応する設定内容を印刷設定画面に表示させ，
　読みだされた複合設定に対応する設定内容で印刷を実行することが不可能であることが確認された場合は，前記オプションを利用しない設定内容を印刷設定画面に表示させる表示制御手段と，を有する情報処理装置。
［相違点］
［相違点１１−１］
　本件発明１は，「印刷装置とネットワーク経由で接続される」ものであるのに対し，甲２発明は，「印刷装置とネットワーク経由で接続される」ものではない点。
［相違点１１−２］
　本件発明１は，「前記表示制御手段は，現在の設定内容が表示されている印刷設定画面に，複合設定の複数の選択候補を表示可能であり，
　ユーザにより前記複数の選択候補に基づく複合設定の選択変更が行われる度に，選択された複合設定に関する前記読み出し手段による読み出しと，読み出された複合設定に関する前記確認手段による確認と，確認の結果に対応した前記表示制御手段による表示とを行う」ものであるのに対し，甲２発明は，そのようなものではない点。
（イ）判断
　まず，「相違点１１−２］について検討する。
　甲２発明は，「複写機のＩＣカード装置２２にＩＣカード１３１がセットされると，・・・データの読み出しが行われ・・・このデータを解読し・・・その複写機用に機能の設定を行」うものであり，この構成は，甲第２号証の明細書の「従来の技術」及び「発明が解決しようとする問題点」の記載（上記（１）ア）によれば，１つの複写機で設定した機能の設定をＩＣカードに記憶しておき，該ＩＣカードをセットして他の複写機でも同様の設定を可能とすることを意図したものである。
　このような甲２発明にあっては，複写機の機能の設定は，ＩＣカードなどの外部記録媒体をセットすることにより行われるようにすることが必要であるから，甲２発明において，本件発明１のような「現在の設定内容が表示されている印刷設定画面に，複合設定の複数の選択候補を表示可能であり，ユーザにより前記複数の選択候補に基づく複合設定の選択変更が行われる」ようにすることは想定できない。また，甲２発明において，そのようにすることが容易に想到し得たといい得る理由や周知技術となる証拠はない。
　したがって，その他の相違点について検討するまでもなく，本件発明１は，甲２発明であるとも，甲２発明及び周知技術に基づいて当業者が容易に発明をすることができたものであるともいえない。
　イ　本件発明２ないし８について
　本件発明２ないし４と甲２発明，本件発明５と甲２方法発明，本件発明６ないし８と甲２媒体発明とを，それぞれ対比すると，本件発明２ないし８はいずれも，上述した，本件発明１と甲２発明との［相違点１１−２］に係る発明特定事項と同様の発明特定事項を備えるものであるから，上述したものと同様の判断により，本件発明２ないし８は，いずれも，甲２発明，甲２方法発明又は甲２媒体発明であるとも，甲２発明，甲２方法発明又は甲２媒体発明，及び周知技術に基づいて当業者が容易に発明をすることができたものであるともいえない。
（３）　無効理由２についてのまとめ
　以上のとおり，請求項１ないし８に係る発明は，甲第２号証に記載された発明であるとも，甲第２号証に記載された発明及び周知技術に基づいて当業者が容易に発明をすることができたものであるともいえないから，その特許についての無効理由２については理由がない。
第６　むすび
　以上によれば，本件訂正は，特許法第１３４条の２第１項の規定に適合するものであり，また，同条第９項で準用する第１２６条第５項，第６項の規定に適合するものであるから，適法なものである。
　そして，本件訂正後の特許請求の範囲の請求項１，２，３，４，５及び７に係る発明は，特許法第２９条第２項の規定により特許を受けることができないものであり，その特許は，同法第１２３条第１項第２号に該当し，無効とすべきものである。
　また，請求人の主張及び証拠方法によっては，本件訂正後の特許請求の範囲の請求項６及び８に係る発明についての特許を無効とすることはできない。
　なお，審判に関する費用については，特許法第１６９条第２項の規定で準用する民事訴訟法第６１条の規定により，その４分の１を請求人の負担とし，４分の３を被請求人の負担とするものとする。